(57)【要約】【課題】ＡＲＣが有効になると、ＡＲＣによって入力された音声データを伝送し、ＡＲＣが無効になると、外部音声入力から入力された音声データを伝送すること。【解決手段】第二の音声データの通信が開始されることを検出する検出部（ＣＥＣコマンド認識部３１１）と、検出されると、第一の音声データの出力を停止し、第二の音声データを無線で出力する無線入出力部（ＷｉＨＤレシーバ３０５）とを備える無線受信機（ＷｉＨＤ―Ｒｘアダプタ３０）が構築される。【選択図】図１
2011234046.tif 000002
【特許請求の範囲】
【請求項１】
無線受信機であって、
無線入出力部と、
映像・音声データを前記無線入出力部が受信すると、受信した前記映像・音声データを有線で出力し、制御コマンドの入出力を行う映像・音声データ出力部と、
第一の音声データを入力する第一の音声入力部と、
第二の音声データを入力する第二の音声入力部と、
前記第二の音声データの通信が開始されること、および、停止されることをそれぞれ検出する検出部とを備え、
前記無線入出力部は、
無線送信機からの映像・音声データを受信し、
前記映像・音声データ出力部を介して受信した制御コマンドを前記無線送信機に出力し、
前記無線送信機からの制御コマンドを受信して、受信された当該制御コマンドを、前記映像・音声データ出力部を介して出力させ、
前記第一の音声入力部により入力された前記第一の音声データ、および、前記第二の音声入力部により入力された前記第二の音声データのいずれか一方を無線で前記無線送信機に出力し、
前記第一の音声データを無線で出力中に、前記検出部が、前記第二の音声データの通信が開始されることを検出すると、
前記第一の音声データの出力を停止し、前記第二の音声データを無線で出力し、
前記第二の音声データを無線で出力中に、前記検出部が、前記第二の音声データの通信が停止されることを検出すると、
前記第二の音声データの出力を停止し、前記第一の音声データを出力する無線受信機。
【請求項２】
請求項１記載の無線受信機であって、
前記検出部は、前記第二の音声データの入力を検出し、
前記無線入出力部は、
前記第一の音声データを無線で出力中に、前記検出部が、前記第二の音声データの入力を検出することにより、前記第二の音声データの通信が開始されることを検出すると、
前記第一の音声データの出力を停止し、前記第二の音声データを無線で出力するとともに、前記第二の音声データの通信が開始されることを通知する制御コマンドを、前記無線送信機に送信し、
第二の音声データを無線で出力中に、前記検出部が、前記第二の音声データの入力が無くなったことを検出することにより、前記第二の音声データの通信が停止されることを検出すると、
前記第二の音声データの出力を停止し、前記第一の音声データを出力するとともに、前記第二の音声データの通信が停止されることを通知する制御コマンドを、前記無線送信機に送信する請求項１記載の無線受信機。
【請求項３】
請求項１記載の無線受信機であって、
前記無線入出力部は、
前記第一の音声データを無線で出力中に、前記検出部が、第一の制御コマンドを当該無線受信機が受信したことを検知することにより、前記第二の音声データの通信が開始されることを検出すると、
前記第一の音声データの出力を停止し、前記第二の音声データを無線で出力し、
前記第二の音声データを無線で出力中に、前記検出部が、第二の制御コマンドを当該無線受信器が受信したことを検知することにより、前記第二の音声データの通信が停止されることを検出すると、
前記第二の音声データの出力を停止し、前記第一の音声データを無線で出力する無線受信機。
【請求項４】
無線送信機であって、
無線入出力部と、
映像・音声データを受信し、受信した前記映像・音声データを、前記無線入出力部を介して送信させ、制御コマンドの入出力を行う映像・音声データ入力部と、
第一の音声データを出力する第一の音声出力部と、
第二の音声データを出力する第二の音声出力部と、
音声出力切換部とを備え、
前記無線入出力部は、
前記映像・音声データ入力部により受信された前記映像・音声データを無線受信機に送信し、
前記映像・音声データ入力部を介して受信した制御コマンドを前記無線受信機に出力し、
前記無線受信機からの制御コマンドを受信して、受信された当該制御コマンドを、前記映像・音声データ入力部を介して出力させ、
前記無線受信機から音声データを受信し、
前記音声出力切換部は、
前記無線入出力部が受信した当該音声データを、前記第一の音声データ出力部に前記第一の音声データとして出力させるか、または、前記第二の音声データ出力部に前記第二の音声データとして出力させるかのいずれか一方を行い、
前記第一の音声データ出力部から出力中に、当該無線送信機が第一の制御コマンドを受信すると、
前記第一の音声データ出力部からの出力を停止させ、前記第二の音声データ出力部から出力させ、
前記第二の音声データ出力部から出力中に、当該無線送信機が第二の制御コマンドを受信すると、
前記第二の音声データ出力部からの出力を停止させ、前記第一の音声データ出力部から出力させる無線送信機。
【請求項５】
前記音声出力切換部は、
前記第一の音声データ出力部から出力中に、前記無線受信機から、当該無線受信機への、前記第二の音声データの入力を通知する前記第一の制御コマンドを受信すると、
前記第一の音声データ出力部からの出力を停止させ、前記第二の音声データ出力部から出力させ、
前記第二の音声データ出力部から出力中に、前記無線受信機から、当該無線受信機への、前記第二の音声データの入力が無くなったことを通知する前記第二の制御コマンドを受信すると、
前記第二の音声データ出力部からの出力を停止させ、前記第一の音声データ出力部から出力させる請求項４記載の無線送信機。
【請求項６】
前記第一の制御コマンドおよび前記第二の制御コマンドのそれぞれは、前記第二の音声データの通信が開始される際、および、停止される際に、それぞれ通信され、通信される際に、当該無線送信機に受信されるＣＥＣ(Consumer Electronics Control)コマンドである請求項４記載の無線送信機。
【請求項７】
映像・音声データを、無線信号を介して伝送する無線映像・音声送受信システムであって、
請求項１に記載の無線受信機と、
請求項４に記載の無線送信機とから構成される無線映像・音声送受信システム。
【請求項８】
映像・音声データを無線信号を介して伝送する無線映像・音声送受信システムであって、
請求項２に記載の無線受信機と、
請求項５に記載の無線送信機とから構成される無線映像・音声送受信システム。
【請求項９】
請求項７または８に記載の無線映像・音声送受信システムであって、
当該無線映像・音声送受信システムにおける、前記無線送信機及び前記無線受信機は、
無線信号の送受信として、ＷｉｒｅｌｅｓｓＨＤの規格に規定されるＨＲＰによる、映像・音声データの送受信を行うと共に、ＬＲＰによる、音声データ及び制御コマンドの送受信を行う無線映像・音声送受信システム。
【請求項１０】
請求項７、８または９のいずれかに記載の無線映像・音声送受信システムであって、
前記無線送信機は、
さらに、ＨＤＭＩ（High Definition Multimedia Interface）規格に従った映像・音声データを入力し、
ＣＥＣ（Consumer Electronics Control）に規定される制御コマンドを送受信し、
少なくとも１つの音声出力として、ＡＲＣ（Audio Return Channel）に規定される音声データを出力し、
前記無線受信機は、
さらに、ＨＤＭＩ（High Definition Multimedia Interface）規格に従った映像・音声データを出力し、
ＣＥＣ（Consumer Electronics Control）に規定される制御コマンドを送受信し、
少なくとも１つの音声入力として、ＡＲＣ（Audio Return Channel）に規定される音声データを入力する無線映像・音声送受信システム。
【請求項１１】
請求項７記載の無線映像・音声送受信システムであって、
前記無線送信機および前記無線受信機は、ＷｉｒｅｌｅｓｓＨＤの無線通信を行い、ＢＤシステムにより、ＨＤＭＩで信号が出力され、出力された当該信号が、テレビにより入力されるのに際して、前記ＢＤシステムから前記テレビへの、当該信号の通信を、当該無線通信を介して行わせる、送信側のアダプタ、および、受信側のアダプタであり、
当該無線映像・音声送受信システムは、
前記テレビにより、ＳＰＤＩＦ（Sony Philips Digital InterFace）での音声信号が出力され、前記ＢＤシステムにより、出力された、ＳＰＤＩＦにおける当該音声信号が入力されるのか、前記テレビにより、ＨＤＭＩにおけるＡＲＣでの、音声の出力がされて、出力された、ＡＲＣにおける当該音声が、前記ＢＤシステムに入力され、ＡＲＣでの通信がされるのか、何れであるかを検出する通信検出部と、
ＡＲＣでの通信がされないことが検出された場合には、ＳＰＤＩＦでの前記音声信号を、前記無線通信を介して通信させ、ＡＲＣでの前記音声を、前記無線通信を介して通信させず、
ＡＲＣでの通信がされることが検出された場合には、ＳＰＤＩＦでの前記音声信号を、前記無線通信を介して通信させず、ＡＲＣでの前記音声を、前記無線通信を介して通信させる通信切換部とを備え、
前記通信検出部は、前記無線受信機に設けられた第１の前記検出部と、前記無線送信機に設けられた第２の検出部とを含み、
前記通信切換部は、前記無線受信機に設けられた音声入力切換部と、前記無線送信機に設けられた前記音声出力切換部とを含む無線映像・音声送受信システム。
【請求項１２】
前記通信検出部は、ＡＲＣでの通信がされる際に、前記テレビおよび前記ＢＤシステムの間で通信されるＣＥＣコマンドが、前記テレビおよび前記ＢＤシステムの間で通信されることを検知し、検知されない場合に、ＡＲＣでの通信がされないことを検出し、当該ＣＥＣコマンドの通信が検知された場合に、ＡＲＣでの通信がされることを検出する請求項１１記載の無線映像・音声送受信システム。
【請求項１３】
無線受信方法であって、
無線入出力工程と、
映像・音声データを前記無線入出力工程で受信すると、受信した前記映像・音声データを有線で出力し、制御コマンドの入出力を行う映像・音声データ出力工程と、
第一の音声データを入力する第一の音声入力工程と、
第二の音声データを入力する第二の音声入力工程と、
前記第二の音声データの通信が開始されること、および、停止されることをそれぞれ検出する検出工程とを含み、
前記無線入出力工程では、
無線送信機からの映像・音声データを受信し、
前記映像・音声データ出力工程で受信した制御コマンドを前記無線送信機に出力し、
前記無線送信機からの制御コマンドを受信して、受信された当該制御コマンドを、前記映像・音声データ出力工程で出力させ、
前記第一の音声入力工程で入力された前記第一の音声データ、および、前記第二の音声入力工程で入力された前記第二の音声データのいずれか一方を無線で前記無線送信機に出力し、
前記第一の音声データを無線で出力中に、前記検出工程で、前記第二の音声データの通信が開始されることを検出すると、
前記第一の音声データの出力を停止し、前記第二の音声データを無線で出力し、
前記第二の音声データを無線で出力中に、前記検出工程で、前記第二の音声データの通信が停止されることを検出すると、
前記第二の音声データの出力を停止し、前記第一の音声データを出力する無線受信方法。
【請求項１４】
無線送信方法であって、
無線入出力工程と、
映像・音声データを受信し、受信した前記映像・音声データを、前記無線入出力工程で送信させ、制御コマンドの入出力を行う映像・音声データ入力工程と、
第一の音声データを出力する第一の音声出力工程と、
第二の音声データを出力する第二の音声出力工程と、
音声出力切換工程とを備え、
前記無線入出力工程では、
前記映像・音声データ入力工程で受信された前記映像・音声データを無線受信機に送信し、
前記映像・音声データ入力工程で受信した制御コマンドを前記無線受信機に出力し、
前記無線受信機からの制御コマンドを受信して、受信された当該制御コマンドを、前記映像・音声データ入力工程で出力させ、
前記無線受信機から音声データを受信し、
前記音声出力切換工程では、
前記無線入出力工程で受信した前記音声データを、前記第一の音声データ出力工程で前記第一の音声データとして出力させるか、または、前記第二の音声データ出力工程で前記第二の音声データとして出力させるかのいずれか一方の出力を行わせ、
前記第一の音声データ出力工程で出力中に、当該無線送信方法を実行する無線送信機が第一の制御コマンドを受信すると、
前記第一の音声データ出力工程での出力を停止させ、前記第二の音声データ出力工程で出力させ、
前記第二の音声データ出力工程で出力中に、当該無線送信機が第二の制御コマンドを受信すると、
前記第二の音声データ出力工程での出力を停止させ、前記第一の音声データ出力工程で出力させる無線送信方法。
【発明の詳細な説明】
【技術分野】
【０００１】
本発明は、複数の音声データのうち、いずれか１つを無線伝送する際に、伝送する音声データを切り換える無線映像・音声データ伝送装置に関する。
【背景技術】
【０００２】
ＡＶ機器間で、非圧縮のベースバンド映像信号と、デジタル音声信号とを無線伝送する標準規格であるＷｉｒｅｌｅｓｓＨＤ（ＷｉＨＤ）が策定されている。
【０００３】
ＷｉＨＤは、ブルーレイディスク（ＢＤ：Blu-ray（登録商標） Disc）レコーダ等のデジタルビデオレコーダ、ＳＴＢ（Ｓｅｔ−ｔｏｐ  ｂｏｘ）、およびパソコンなどに蓄えられたＨＤ動画データを、ケーブル接続を用いることなく、ハイビジョンテレビなどで視聴するための技術仕様である。
【０００４】
また、ＷｉＨＤで送受信される信号には、双方向の制御信号も含んでいる。そのため、テレビとデジタルビデオレコーダとを連動させるため、および、ホームシアターを構成する各機器の一元的な制御等のため、プロトコルが定義されている。
【０００５】
加えて、ＷｉＨＤによれば、高品質のコンテンツの伝送が可能であるために、提供されるコンテンツが不正に再生されたり、違法にコピーされたりしないように、コンテンツ保護方式として、ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）が定義されている。
【０００６】
また、ＷｉＨＤの通信モデルは、物理レイヤ、ＭＡＣ（ｍｅｄｉｕｍ  ａｃｃｅｓｓ  ｃｏｎｔｒｏｌ）サブレイヤ、アダプテーションサブレイヤの３つに機能的に区分されている。
【０００７】
これらの３つのレイヤのうちの物理レイヤとして、データ伝送の物理的な方式が、２種類規定されている。具体的には、ＨＲＰ（Ｈｉｇｈ−ｒａｔｅ  ｐｈｙｓｉｃａｌ  ｌａｙｅｒ）、およびＬＲＰ（Ｌｏｗ−ｒａｔｅ  ｐｈｙｓｉｃａｌ  ｌａｙｅｒ）の２種類の物理レイヤが規定されている。
【０００８】
前者のＨＲＰにおいては、３Ｇｂｐｓ以上の高速伝送が可能であり、主に、高品位なコンテンツを非圧縮で伝送するために用いられ、周波数帯の特性上、指向性が高いという特徴がある。一方、後者のＬＲＰにおいては、用いられる電波が、無指向の電波であり、主に、機器間の制御信号、および、電波の経路情報等の伝送に用いられる。
【０００９】
このような特徴を有するＷｉＨＤの無線伝送方法について、例えば、特許文献１および非特許文献１に示されている。
【００１０】
また、ＷｉＨＤの技術分野では、High Definition Multimedia Interface（ＨＤＭＩ）の動画データ及び制御信号を、ＷｉＨＤを介して送受信するHDMI pass throughも開示されている。例えば、ＨＤＭＩケーブルを介して受信したＨＤＭＩ信号を、ＷｉＨＤで伝送するＷｉＨＤ−Ｔｘアダプタと、ＷｉＨＤ信号を受信し、受信されたＷｉＨＤ信号を、ＨＤＭＩ信号にして送出するＷｉＨＤ−Ｒｘアダプタとを、一組のペアとして使用することで、通常の有線ＨＤＭＩケーブルの代わりに用いることができる。
【００１１】
ＨＤＭＩは、ＨＤＭＩケーブル接続された２つの機器の間で、ＨＤ動画データを、高速に伝送する通信インタフェースであり、すなわち、ＨＤ動画データを、デジタルテレビジョン信号、すなわち、非圧縮（ベースバンド）の画像データと、その画像データの画像に付随する音声データとして、高速に伝送する通信インタフェースである。
【００１２】
ＨＤＭＩについては、次の各技術が、開示されている（非特許文献２）。つまり、画像データと音声データとを、ＨＤＭＩ信号を出力する機能を備えた機器（「ＨＤＭＩソース」とする）から、テレビやＡＶアンプなどの、ＨＤＭＩ信号を入力する機能を備えた機器（「ＨＤＭＩシンク」とする）に、一方向に伝送するＴＭＤＳ(Transition Minimized Differential Signaling)チャンネルの技術が開示されている。また、ＨＤＭＩソースが、ＨＤＭＩシンクの再生能力等の情報を格納しているＥ−ＥＤＩＤ(Enhanced Extended Display Identification Data)を読み出すのに利用するＤＤＣ（Display Data Channel）ラインや、ＨＤＭＩソースとＨＤＭＩシンクとの間で、双方向の通信を行うためのCEC (Consumer Electronics Control) ライン、ＨＤＭＩシンクからＨＤＭＩソースへの一方向で音声信号を伝送したり、ＨＰＤラインと組み合わせて、双方向のデータ通信を行ったりすることができるＵｔｉｌｉｔｙラインなどが、ＨＤＭＩ規格として開示されている。
【００１３】
ＤＤＣラインは、ＨＤＭＩシンクからＨＤＭＩソースに、再生能力情報等を伝達するために利用される。「ＤＤＣ」とは、ディスプレイのプラグ＆プレイを実現するために、ＨＤＭＩ出力機器に、ディスプレイの機種情報などを伝える機能として定められた、ＶＥＳＡ（Video Electronics Standards Association）の規格である。ＤＤＣによって伝達される情報として、ＨＤＭＩ入力機器の機種情報や、再生可能な画像・音声フォーマット、ＨＤＭＩ機器に付与する物理アドレス（Physical Address）などがある。これら、ＤＤＣによって伝達する情報は、Ｅ−ＥＤＩＤ(Enhanced Extended Display Identification Data)として、ＨＤＭＩシンクのメモリに格納されている。
【００１４】
Ｅ−ＥＤＩＤは、ＨＤＭＩシンクによる、ＨＰＤ(Hot Plug Detect Signal)ラインの電圧レベルに応答して、接続されたＨＤＭＩソースから読み出される。ＨＤＭＩソースは、ＨＰＤラインがハイレベルであれば、ＨＤＭＩシンクのＥＤＩＤを読み出すことができる。ただし、ＨＤＭＩシンクは、+5V Powerラインに、ＨＤＭＩケーブルを介して、電圧がハイレベルで供給されている場合にのみ、ＨＰＤをハイレベルにする。即ち、ＨＤＭＩシンクは、+5V Powerラインにて、ＨＤＭＩソースの接続を検出し、ＨＤＭＩソースは、ＨＰＤラインにて、ＨＤＭＩシンクの接続を検出することができる。
【００１５】
ＣＥＣは、テレビおよび種々のＡＶ機器を、ＨＤＭＩケーブルで接続し、ＨＤＭＩケーブルに含まれているＣＥＣラインを介して、双方向に制御コマンドを送受信可能なＣＥＣコマンドを利用して、ＡＶ機器を制御する機能である。
【００１６】
ＣＥＣでは、ＣＥＣコマンドによる通信のために、各機器に対して、論理アドレス（Logical Address、以下ＬＡ）と物理アドレス（Physical Address、以下ＰＡ）とを定義している。
【００１７】
ＰＡは、ＨＤＭＩソースの接続トポロジを反映して決定されるアドレスで、ＨＤＭＩシンクからＨＤＭＩソースへ、前述のＤＤＣを介して、一方向に伝送される。ＨＤＭＩシンクにおいては、ＨＤＭＩ入力部ごとに、Ｅ−ＥＤＩＤメモリが、論理的には独立したメモリとして提供され、それぞれ異なるＰＡがセットされる。各ＨＤＭＩ入力部で提供されるＰＡは、自機器が取得したＰＡに、ＨＤＭＩ入力部毎に異なる値を加えて決定される。たとえば、ＡＶアンプのような、ＨＤＭＩ入力部と、ＨＤＭＩ出力部の両方を備える機器は、ＨＤＭＩ出力部が接続された機器から、ＡＶアンプ自身のＰＡを取得し、取得された当該ＰＡに、ＨＤＭＩ入力部毎の値を加えて、ＡＶアンプにさらに接続されたＨＤＭＩ出力機器のＰＡを決定する。従って、ＨＤＭＩ入力部を備え、ルートとなる機器（以下、ルート機器）のＰＡを０．０．０．０として、階層的に決定される。ＨＤＭＩ出力部をもたず、ＨＤＭＩ入力部のみを備えるテレビは、ルート機器として、常にＰＡ０．０．０．０を持つ。ルート機器に接続された機器については、例えば、当該機器の第一のＨＤＭＩ入力部に接続された機器には１．０．０．０、第二のＨＤＭＩ入力部に接続された機器には２．０．０．０、のように与えられる。入力部と出力部の両方を備えた機器は、自身のＰＡから、さらに入力部毎にＰＡを決定する。例えば、ＰＡが１．０．０．０の機器の入力部に接続された機器のＰＡにおいては、それぞれ、第一の入力部では１．１．０．０となり、第二の入力部では、１．２．０．０となる。
【００１８】
他方、ＬＡは、ＨＤＭＩ接続されたＣＥＣ対応機器に与えられ、ＣＥＣコマンドの送受信を行うための宛先アドレスとして用いられる。
【００１９】
ＣＥＣでは、コマンドの相手先を指定して送信するコマンドと、ＨＤＭＩで接続されたすべてのＣＥＣ対応機器にコマンドを通知するブロードキャストコマンドとが定義されており、これらを組み合わせて通信を行う。ＣＥＣコマンドは、送信元機器のＬＡと、宛先機器のＬＡと、オペコードと、オペランドから構成される。
【００２０】
ＬＡは、０から１５まであるが、通常の機器は、０〜１４までのいずれかを取得する。１５は、宛先アドレスとして指定した場合に、ブロードキャスト、つまり、ＣＥＣネットワーク内の全ての機器を宛先としたコマンドを意味する。ＬＡは、デバイスタイプごとに、特定のアドレス範囲の値を取得する必要があり、例えば、テレビは０、レコーディングデバイスは１、２、９のいずれか、オーディオシステムは、５のみ、のようになっている。新たにＬＡを取得する機器は、取得したいアドレスに対して、<Polling Message>コマンドを送信し、応答がない場合に、そのアドレスを取得する。新たにアドレスを取得した機器は、取得したＬＡを、送信元アドレスとし、パラメタに、自身のＰＡをつけて、<Report Physical Address>コマンドをブロードキャストする。
【００２１】
ＡＲＣ（Audio Return Channel）は、ＨＤＭＩのＵｔｉｌｉｔｙラインのみ（Single Mode）または、ＵｔｉｌｉｔｙラインとＨＰＤラインとの両方（Common Mode）を使って、ＨＤＭＩシンクからＨＤＭＩソースへ、音声データを伝送する機能である。ここで、ＡＲＣで伝送される音声信号は、ＩＥＣ６０９５８規格に定義される信号から、物理層の規格の一部を変更した信号である。ＩＥＣ６０９５８規格は、デジタルオーディオ信号を、リアルタイムに伝送するための規格である。ＩＥＣ６０９５８の信号は、バイフェーズマーク変調されているため、その信号中にクロック成分を含んでいる。以下、本明細書では、ＡＲＣが、Single Modeで伝送されているか、Common Modeで伝送されているかは、区別することなくＡＲＣと記述し、いずれかの方法で、音声データが入力することを、「ＡＲＣによって入力する」、出力することを、「ＡＲＣによって出力する」と記述する。また、ＨＤＭＩシンクからＨＤＭＩシンクへ、ＡＲＣのいずれかの方法で、音声データが一方向に伝送されることを、「ＡＲＣで伝送される」と記述する。
【００２２】
ＨＤＭＩシンクから、ＡＲＣで音声データを伝送するためには、ＨＤＭＩシンクとＨＤＭＩソースの間で、所定のＣＥＣコマンドを使って通信を行い、互いのＡＲＣ機能をアクティベートしなければ、ＡＲＣによる出力を行ってはいけない。加えて、Single Modeの場合には、+5Powerラインがハイレベルに、Common Modeの場合には、+5V Powerライン及びHPDラインがそれぞれハイレベルになっていなければ、ＡＲＣによる出力を行ってはいけない。
【先行技術文献】
【特許文献】
【００２３】
【特許文献１】特開２００１−０１２３４５号公報
【非特許文献】
【００２４】
【非特許文献１】ＷｉｒｅｌｅｓｓＨＤ  Ｓｐｅｃｉｆｉｃａｔｉｏｎ  Ｖｅｒｓｉｏｎ  １．０  Ｏｖｅｒｖｉｅｗ、２００７年１０月９日
【非特許文献２】Ｈｉｇｈ  Ｄｅｆｉｎｉｓｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ１．４
【発明の概要】
【発明が解決しようとする課題】
【００２５】
ＷｉＨＤでは、ＬＲＰをつかって、ＨＲＰを受信する機器（ＷｉＨＤ−Ｒｘ）から、ＨＲＰを送信する機器（ＷｉＨＤ−Ｔｘ）へ、デジタル音声データを送信することができる（以下、ＷｉＨＤ音声バックチャネル機能）。
【００２６】
一方で、HDMIでは、HDMIケーブル一本にて、ＨＤＭＩシンクからＨＤＭＩソースへ、デジタル音声データを伝送するＡＲＣがあるが、ＡＲＣを利用するためには、ＨＤＭＩシンクとＨＤＭＩソースとが、ともにＡＲＣに対応している必要があり、いずれか一方でも、対応していない場合には、ＨＤＭＩシンクは、ＳＰＤＩＦ（Sony Philips Digital InterFace）などの、ＨＤＭＩ以外の方法で音声を出力して、ＨＤＭＩソースが受信する必要がある。このため、ＨＤＭＩによって出力された映像・音声データを、ＷｉＨＤ−Ｔｘアダプタが、ＷｉＨＤの無線によって送信し、ＷｉＨＤ−Ｒｘアダプタで受信して、ＨＤＭＩに出力するシステムにおいては、ＡＲＣだけでなく、ＳＰＤＩＦなどの、外部音声入力端子を介した音声データも、ＷｉＨＤ音声バックチャネル機能に対応する必要がある。
【００２７】
しかしながら、ＷｉＨＤ音声バックチャンネル機能では、２つの音声を同時に伝送することができないため、外部音声入力と、ＡＲＣとで、音声の入出力を切り換えながら利用する必要がある。
【課題を解決するための手段】
【００２８】
上記を達成するために、本発明の第一の無線受信機は、無線受信機であって、無線入出力部と、映像・音声データ（映像音声データ、映像−音声データ）を前記無線入出力部が受信すると、受信した前記映像・音声データを有線で出力し、制御コマンドの入出力を行う映像・音声データ出力部と、第一の音声データを入力する第一の音声入力部と、第二の音声データを入力する第二の音声入力部と、前記第二の音声データの通信が開始されること、および、停止されることをそれぞれ検出する検出部とを備え、前記無線入出力部は、無線送信機からの映像・音声データを受信し、前記映像・音声データ出力部を介して受信した制御コマンドを前記無線送信機に出力し、前記無線送信機からの制御コマンドを受信して、受信された当該制御コマンドを、前記映像・音声データ出力部を介して出力させ、前記第一の音声入力部により入力された前記第一の音声データ、および、前記第二の音声入力部により入力された前記第二の音声データのいずれか一方を無線で前記無線送信機に出力し、前記第一の音声データを無線で出力中に、前記検出部が、前記第二の音声データの通信が開始されることを検出すると、前記第一の音声データの出力を停止し、前記第二の音声データを無線で出力し、前記第二の音声データを無線で出力中に、前記検出部が、前記第二の音声データの通信が停止されることを検出すると、前記第二の音声データの出力を停止し、前記第一の音声データを出力する無線受信機である。
【００２９】
また、本発明の第一の無線送信機は、無線送信機であって、無線入出力部と、映像・音声データを受信し、受信した前記映像・音声データを、前記無線入出力部を介して送信させ、制御コマンドの入出力を行う映像・音声データ入力部と、第一の音声データを出力する第一の音声出力部と、第二の音声データを出力する第二の音声出力部と、音声出力切換部とを備え、前記無線入出力部は、前記映像・音声データ入力部により受信された前記映像・音声データを無線受信機に送信し、前記映像・音声データ入力部を介して受信した制御コマンドを前記無線受信機に出力し、前記無線受信機からの制御コマンドを受信して、受信された当該制御コマンドを、前記映像・音声データ入力部を介して出力させ、前記無線受信機から音声データを受信し、前記音声出力切換部は、前記無線入出力部が受信した当該音声データを、前記第一の音声データ出力部に前記第一の音声データとして出力させるか、または、前記第二の音声データ出力部に前記第二の音声データとして出力させるかのいずれか一方を行い、前記第一の音声データ出力部から出力中に、当該無線送信機が第一の制御コマンドを受信すると、前記第一の音声データ出力部からの出力を停止させ、前記第二の音声データ出力部から出力させ、前記第二の音声データ出力部から出力中に、当該無線送信機が第二の制御コマンドを受信すると、前記第二の音声データ出力部からの出力を停止させ、前記第一の音声データ出力部から出力させる無線送信機である。
【００３０】
また、本発明の第一の無線映像・音声送受信システムは、前記第一の無線受信機と、前記第二の無線送信機から構成される。
【００３１】
そして、より具体的には、下記の第二の無線受信機等の態様が構築されてもよい。
【００３２】
本発明の第二の無線受信機は、映像・音声データを無線入出力部が受信すると、受信した映像・音声データを有線で出力し、制御コマンドの入出力を行う映像・音声データ出力部と、第一の音声データを入力する第一の音声入力部と、第二の音声データを入力する第二の音声入力部と、無線送信機からの映像・音声データを受信し、前記映像・音声データ出力部を介して受信した制御コマンドを出力し、無線送信機からの制御コマンドを受信して前記映像・音声データ出力部を介して出力し、前記第一の音声データか第二の音声データのいずれか一方を無線で出力する無線入出力部とを有しており、前記無線入出力部は、第一の音声データを無線で出力中に、第一の制御コマンドを受信すると、第一の音声データの出力を停止し、第二の音声データを無線で出力し、第二の音声データを無線で出力中に、第二の制御コマンドを受信すると、第二の音声データの出力を停止し、第一の音声データを無線で出力する無線受信機である。
【００３３】
また、本発明の第二の無線送信機は、受信した映像・音声データを無線入出力部を介して送信し、制御コマンドの入力を行う映像・音声データ入力部と、音声データを出力する第一の音声出力部と、音声データを出力する第二の音声出力部と、映像・音声データを無線受信機に送信し、前記映像音声データ入力部を介して受信した制御コマンドを出力し、無線受信機からの制御コマンドを受信して前記映像・音声データ入力部を介して出力し、無線受信機から音声データを受信する無線入出力部と、無線入出力部が受信した音声データを第一の音声データ出力部か第二の音声データ出力部のいずれか一方から出力する音声出力切換部と、を有しており、前記音声出力切換部は、第一の音声データ出力部から出力中に第一の制御コマンドを受信すると、第一の音声データ出力部からの出力を停止し、第二の音声データ出力部から出力し、第二の音声データ出力部から音声データを出力中に第二の制御コマンドを受信すると第二の音声データ出力部からの音声データの出力を停止し、第一の音声データ出力部から音声データを出力する無線送信機である。
【００３４】
また、本発明の第二の無線映像・音声送受信システムは、例えば、前記第二の無線受信機と、前記第二の無線送信機から構成されてもよい。
【００３５】
これらの構成により、無線受信機に接続されたシンク機器から、無線送信機に接続されたソース機器に第二の音声データ出力を介して、音声データを伝送する場合において、シンク機器が第二の音声データの出力を開始することを示す制御コマンド（例えばＣＥＣコマンド）を送信すると、無線受信機及び無線送信機は、当該制御コマンドを検出し、第二の音声データを無線伝送する。また、ソース機器が第二の音声データの出力の停止を要求する制御コマンド（例えばＣＥＣコマンド）を送信すると、無線受信機及び無線送信機は、当該制御コマンドを検出し、第二の音声データの無線伝送を停止する。シンク機器が第二の音声データの出力ができない場合には、シンク機器は前記第二の音声データの出力を示す制御コマンドを送信しないため、第一の音声データの伝送を行う（実施の形態１を参照）。
【００３６】
また、本発明の第三の無線受信機は、映像・音声データを無線入出力部が受信すると、受信した映像・音声データを有線で出力し、制御コマンドの入出力を行う映像・音声データ出力部と、第一の音声データを入力する第一の音声入力部と、第二の音声データを入力する第二の音声入力部と、第二の音声データの入力を検出する音声入力検出部と、無線送信機からの映像・音声データを受信し、前記映像・音声データ出力部を介して受信した制御コマンドを出力し、無線送信機からの制御コマンドを受信して前記映像・音声データ出力部を介して出力し、前記第一の音声データか第二の音声データのいずれか一方を無線で出力する無線入出力部と、を有しており、前記無線入出力部は、第一の音声データを無線で出力中に、音声入力検出部が第二の音声データの入力を検出すると、第一の音声データの出力を停止し、第二の音声データを無線で出力するとともに、第二の音声データの入力を無線送信機に通知する制御コマンドを送信し、第二の音声データを無線で出力中に、音声入力検出部が第二の音声データの入力が無くなったことを検出すると、第二の音声データの出力を停止し、第一の音声データを出力するとともに、第二の音声データの入力が無くなったことを無線送信機に通知する制御コマンドを送信する無線受信機である。
【００３７】
また、本発明の第三の無線送信機は、受信した映像・音声データを無線入出力部を介して送信し、制御コマンドの入出力を行う映像・音声データ入力部と、音声データを出力する第一の音声出力部と、音声データを出力する第二の音声出力部と、映像・音声データを無線受信機に送信し、前記映像音声データ入力部を介して受信した制御コマンドを出力し、無線受信機からの制御コマンドを受信して前記映像・音声データ入力部を介して出力し、無線受信機から音声データを受信する無線入出力部と、無線入出力部が受信した音声データを第一の音声データ出力部か第二の音声データ出力部のいずれか一方から出力する音声出力切換部とを有しており、前記音声出力切換部は、第一の音声データ出力部から出力中に、前記無線受信機から第二の音声データの入力を通知する制御コマンドを受信すると、第一の音声データ出力部からの出力を停止して第二の音声データ出力部から出力し、第二の音声データ出力部から音声データを出力中に前記無線受信機から第二の音声データの入力が無くなったことを通知する制御コマンドを受信すると第二の音声データ出力部からの音声データの出力を停止し、第一の音声データ出力部から音声データを出力する無線送信機である。
【００３８】
また、本発明の第三の無線映像・音声送受信システムは、例えば、前記第三の無線受信機と、前記第三の無線送信機から構成されてもよい。
【００３９】
これらの構成により、第二無線受信機に接続されたシンク機器から、無線送信機に接続されたソース機器に第二の音声データ出力を介して、音声データを伝送する場合において、シンク機器が第二の音声データの出力を開始すると、第二無線受信機は音声入力検出部（例えば、図７の音声信号検出部５０７）が第二の音声データの入力を検出し、第二の音声データを無線伝送する。また、第二の送信機は第二の無線受信機からの制御コマンドを受信し、音声データを第二の音声データ出力部から出力する。また、シンク機器が第二の音声データを出力しない場合には、音声入力検出部は第二の音声データの入力を検出しないため、第一の音声データの伝送を行う（実施の形態２を参照）。
【００４０】
また、前記第一の無線映像・音声送受信システム、前記第二の無線映像・音声送受信システム、または、第三の無線映像・音声送受信システムにおける、無線受信機と無線送信機との間で送受信される無線信号は、ＷｉｒｅｌｅｓｓＨＤの規格に規定されるＨＲＰ（High-rate physical layer）による映像・音声データと、ＬＲＰ（Low-rate physical layer）による音声データ及び制御コマンドとであってもよい。
【００４１】
この構成により、無線送信機と無線受信機との間における、ＷｉｒｅｌｅｓｓＨＤによる、高品位なコンテンツの伝送を行うことができる。
【００４２】
また、前記第一の無線映像・音声送受信システム、前記第二の無線映像・音声送受信システム、または、第三の無線映像・音声送受信システムにおいて、無線送信機は、さらにＨＤＭＩ（High Definition Multimedia Interface）規格に従った映像・音声データを入力し、ＣＥＣ（Consumer Electronics Control）に規定される制御コマンドを送受信し、少なくともひとつの音声出力として、ＡＲＣ（Audio Return Channel）に規定される音声データを出力し、無線受信機は、さらにＨＤＭＩ（High Definition Multimedia Interface）規格に従った映像・音声データを出力し、ＣＥＣ（Consumer Electronics Control）に規定される制御コマンドを送受信し、少なくともひとつの音声入力として、ＡＲＣ（Audio Return Channel）に規定される音声データを入力してもよい。
【００４３】
この構成により、ＨＤＭＩに規定される高品位なコンテンツを無線で伝送することを可能にするとともに、第二の無線映像・音声送受信システムは、ＣＥＣに規定される制御コマンドを検出し、第二の音声データとして、ＡＲＣ規格に従った音声データを、無線受信機から無線送信機に伝送することができる。
【発明の効果】
【００４４】
ＷｉＨＤ−Ｒｘアダプタ及びＷｉＨＤ−Ｔｘアダプタを使って、ＷｉＨＤ−ＲｘアダプタからＷｉＨＤ−Ｔｘアダプタに、音声を、ＷｉＨＤ音声バックチャネル伝送するシステムにおいて、ＡＲＣと外部音声入力との２種類の音声入力がある場合に、接続機器において、ＡＲＣが有効になると、ＡＲＣによって入力された音声データを伝送し、ＡＲＣが無効になると、外部音声入力から入力された音声データを伝送するシステムが実現できる。
【００４５】
また、外部音声入力から入力した音声データを、音声バックチャネル伝送している状態において、接続された機器が、ＡＲＣの使用を開始すると、即座にＷｉＨＤにおいても、ＡＲＣによって入力された音声データの伝送に切り換えることができる。
【００４６】
これにより、ＷｉＨＤ−Ｒｘアダプタに接続された機器、及び、ＷｉＨＤ−Ｔｘアダプタに接続された機器は、ＡＲＣと外部音声入力とのいずれの音声を伝送するかを明示的に指定することなく、音声データを伝送させることができる。
【図面の簡単な説明】
【００４７】
【図１】実施の形態１に係るＡＶシステムの構成図である。
【図２】実施の形態に係るＷｉＨＤ−Ｒｘアダプタの主要な機能構成を示すブロック図である。
【図３】実施の形態１に係るＷｉＨＤ−Ｔｘアダプタの主要な機能構成を示すブロック図である。
【図４ａ】実施の形態１にかかるＷｉＨＤ−Ｒｘアダプタの動作の流れを示す流れ図である。
【図４ｂ】実施の形態１にかかるＷｉＨＤ−Ｒｘアダプタの動作の流れを示す流れ図である。
【図５ａ】実施の形態１にかかるＷｉＨＤ−Ｔｘアダプタの動作の流れを示す流れ図である。
【図５ｂ】実施の形態１にかかるＷｉＨＤ−Ｔｘアダプタの動作の流れを示す流れ図である。
【図６】実施の形態２に係るＡＶシステムの構成図である。
【図７】実施の形態２に係るＷｉＨＤ−Ｒｘアダプタの主要な機能構成を示すブロック図である。
【図８】実施の形態２に係るＷｉＨＤ−Ｔｘアダプタの主要な機能構成を示すブロック図である。
【図９ａ】実施の形態２に係るＷｉＨＤ−Ｒｘアダプタの動作の流れを示す流れ図である。
【図９ｂ】実施の形態２に係るＷｉＨＤ−Ｒｘアダプタの動作の流れを示す流れ図である。
【図９ｃ】実施の形態２に係るＷｉＨＤ−Ｒｘアダプタの動作の流れを示す流れ図である。
【図１０ａ】実施の形態２に係るＷｉＨＤ−Ｔｘアダプタの動作の流れを示す流れ図である。
【図１０ｂ】実施の形態２に係るＷｉＨＤ−Ｔｘアダプタの動作の流れを示す流れ図である。
【図１０ｃ】実施の形態２に係るＷｉＨＤ−Ｔｘアダプタの動作の流れを示す流れ図である。
【発明を実施するための形態】
【００４８】
以下、添付図面を参照しつつ、本発明の実施の形態について説明する。
【００４９】
実施の形態の無線受信機は、無線受信機（ＷｉＨＤ−Ｒｘアダプタ３０、５０）であって、無線入出力部（ＷｉＨＤレシーバ３０５）と、映像・音声データを前記無線入出力部が受信すると、受信した前記映像・音声データを有線（ＨＤＭＩケーブル３１）で出力し、制御コマンドの入出力を行う映像・音声データ出力部（ＨＤＭＩトランスミッタ３０６）と、第一の音声データ（ＳＰＤＩＦの音声信号３０２Ｓ）を入力する第一の音声入力部（外部音声入力端子３０２）と、第二の音声データ（ＡＲＣの信号３０１ａＳ）を入力する第二の音声入力部（ＨＤＭＩ出力端子３０１（の入力部３０１ａ））と、前記第二の音声データの通信が開始されること、および、停止されることをそれぞれ検出する検出部（ＣＥＣコマンド認識部３１１、音声信号検出部５０７（通信検出部３１１ｘ））とを備え、前記無線入出力部は、無線送信機（ＷｉＨＤ−Ｔｘアダプタ４０、６０）からの映像・音声データを受信し、前記映像・音声データ出力部を介して受信した制御コマンドを前記無線送信機に出力し、前記無線送信機からの制御コマンドを受信して、受信された当該制御コマンドを、前記映像・音声データ出力部を介して出力させ、前記第一の音声入力部により入力された前記第一の音声データ（ＳＰＤＩＦの音声信号３０２Ｓ）、および、前記第二の音声入力部により入力された前記第二の音声データ（ＡＲＣの信号３０１ａＳ）のいずれか一方を無線で前記無線送信機に出力し、前記第一の音声データを無線で出力中に、前記検出部が、前記第二の音声データの通信が開始されることを検出すると（Ｓ３０３ａからＳ３０５へ、Ｓ５０１）、前記第一の音声データの出力を停止し、前記第二の音声データを無線で出力し（Ｓ３０５、Ｓ５０２）、前記第二の音声データを無線で出力中に、前記検出部が、前記第二の音声データの通信が停止されることを検出すると（Ｓ３１３ａからＳ３１５へ、Ｓ５１１）、前記第二の音声データの出力を停止し、前記第一の音声データを出力する（Ｓ３１５、Ｓ５１２）無線受信機である。
【００５０】
実施の形態の無線受信機は、無線送信機（ＷｉＨＤ−Ｔｘアダプタ４０、６０）であって、無線入出力部（ＷｉＨＤトランスミッタ４０５）と、映像・音声データを受信し、受信した前記映像・音声データを、前記無線入出力部を介して送信させ、制御コマンドの入出力を行う映像・音声データ入力部（ＨＤＭＩレシーバ４０６）と、第一の音声データ（ＳＰＤＩＦの音声信号３０２Ｓ）を出力する第一の音声出力部（外部音声出力端子４０２）と、第二の音声データ（ＡＲＣの信号３０１ａＳ）を出力する第二の音声出力部（ＨＤＭＩ入力端子４０１（の出力部４０１ａ））と、音声出力切換部（出力信号切換部４０３）とを備え、前記無線入出力部は、前記映像・音声データ入力部により受信された前記映像・音声データを無線受信機（ＷｉＨＤ−Ｒｘアダプタ３０、５０）に送信し、前記映像・音声データ入力部を介して受信した制御コマンドを前記無線受信機に出力し、前記無線受信機からの制御コマンドを受信して、受信された当該制御コマンドを、前記映像・音声データ入力部を介して出力させ、前記無線受信機から音声データ（ＳＰＤＩＦの音声信号３０２Ｓ、または、ＡＲＣの信号３０１ａＳ）を受信し、前記音声出力切換部は、前記無線入出力部が受信した当該音声データを、前記第一の音声データ出力部に前記第一の音声データとして出力させるか、または、前記第二の音声データ出力部に前記第二の音声データとして出力させるかのいずれか一方を行い、前記第一の音声データ出力部から出力中に、当該無線送信機が第一の制御コマンド（Ｓ４０１（ＣＥＣコマンド３１１ｃＡ）、Ｓ６０１）を受信すると、前記第一の音声データ出力部からの出力を停止させ、前記第二の音声データ出力部から出力させ（Ｓ４０５、Ｓ６０２）、前記第二の音声データ出力部から出力中に、当該無線送信機が第二の制御コマンド（Ｓ４１１（ＣＥＣコマンド３１１ｃＢ）、Ｓ６１１）を受信すると、前記第二の音声データ出力部からの出力を停止させ、前記第一の音声データ出力部から出力させる無線送信機である。
【００５１】
なお、これらの無線受信器および無線送信機は、１つの課題を解決するために設けられる２つの部品として用いられ、単一性を有する。
【００５２】
（実施の形態１  ：  ＣＥＣコマンドで切り換え）
以下で示されるように、例えば、無線受信器（ＷｉＨＤ−Ｒｘアダプタ３０）において、前記無線入出力部（ＷｉＨＤレシーバ３０５）は、前記第一の音声データ（ＳＰＤＩＦの音声信号３０２Ｓ）を無線で出力中に、前記検出部（ＣＥＣコマンド認識部３１１）が、第一の制御コマンド（ＣＥＣコマンド３１１ｃＡ）を当該無線受信機が受信したことを検知することにより、前記第二の音声データ（ＡＲＣの信号３０１ａＳ）の通信が開始されることを検出すると、前記第一の音声データの出力を停止し、前記第二の音声データを無線で出力し、前記第二の音声データを無線で出力中に、前記検出部が、第二の制御コマンド（ＣＥＣコマンド３１１ｃＢ）を当該無線受信器が受信したことを検知することにより、前記第二の音声データの通信が停止されることを検出すると、前記第二の音声データの出力を停止し、前記第一の音声データを無線で出力してもよい。
【００５３】
そして、無線送信機（ＷｉＨＤ−Ｔｘアダプタ４０）において、前記第一の制御コマンドおよび前記第二の制御コマンドのそれぞれは、前記第二の音声データの通信が開始される際、および、停止される際に、それぞれ通信され、通信される際に、当該無線送信機に受信されるＣＥＣ(Consumer Electronics Control)コマンド（ＣＥＣコマンド３１１ｃＡ、ＣＥＣコマンド３１１ｃＢ）でもよい。
【００５４】
図１は、実施の形態１に係るＡＶシステム１００の構成図である。
【００５５】
ＡＶシステム１００は、本技術が適用された映像表示システムの一例であり、図１に示すように、テレビ１０と、ＢＤシステム２０と、ＷｉＨＤ−Ｒｘアダプタ３０およびＷｉＨＤ−Ｔｘアダプタ４０（無線送受信システム３０ｘ）とを備える。
【００５６】
テレビ１０は、ＷｉＨＤのＨＲＰを受信することができるＷｉＨＤ−Ｒｘアダプタ３０と、ＨＤＭＩケーブル３１を介して接続されている。
【００５７】
テレビ１０は、ＨＤＭＩケーブル３１を介して受信した映像・音声データを再生し、または、放送受信用アンテナ（図示せず）を介して受信した放送信号をデコードして、映像・音声を再生し、出力する装置である。また、テレビ１０は、放送信号の音声データを、自身の有する外部音声出力あるいは、ＡＲＣによる出力によって、他の機器に出力することもできる。
【００５８】
ＷｉＨＤ−Ｒｘアダプタ３０は、自身が有するアンテナ部３２３（図２）を介して、ＨＲＰまたはＬＲＰを受信して、ＨＤＭＩの信号に変換して、テレビ１０に送信し、テレビ１０から、ＡＲＣによって出力された音声データあるいは、ＣＥＣコマンドを、ＷｉＨＤのＬＲＰに変換して、アンテナ部３２３を介して、ＷｉＨＤ−Ｔｘアダプタ４０へ送信する装置である。
【００５９】
ＢＤシステム２０は、ＷｉＨＤ−Ｔｘアダプタ４０と、ＨＤＭＩケーブル４１を介して接続されている。
【００６０】
そして、ＢＤシステム２０は、ＢＤに記録されたＡＶコンテンツを再生する場合、ＨＤＭＩを介して、ＷｉＨＤ-Ｔｘアダプタ４０へ送信する。このとき、ＢＤシステム２０は、当該ＡＶコンテンツの映像信号を送信するとともに、当該ＡＶコンテンツの音声を、自身が有するスピーカから出力する。そして、この場合において、テレビ１０は、ＢＤシステム２０から受信する映像信号を再生し、表示する。
【００６１】
一方で、ＢＤシステム２０は、ＡＲＣまたは、外部音声入力のデジタル音声データを入力し、再生することができる。例えば、ＷｉＨＤ−Ｔｘアダプタ４０は、ＬＲＰで、デジタル音声データを受信し、受信されたデジタル音声データを、ＡＲＣまたは、外部音声出力のいずれか一方で出力し、ＢＤシステム２０がＡＲＣを備えている場合には、ＡＲＣを介して音声データを入力し、ＢＤシステム２０が備えるスピーカで再生させる。
【００６２】
しかし、ＷｉＨＤ−Ｔｘアダプタ４０に接続される機器、あるいは、ＷｉＨＤ−Ｒｘアダプタ３０に接続される機器のいずれかが、ＡＲＣに対応していない場合には、ＡＲＣによって音声データを伝送することができない。このため、このような接続形態の場合には、ＷｉＨＤ−Ｒｘアダプタ３０は、ＳＰＤＩＦ等の、ＨＤＭＩ以外の外部音声入力端子（以下、外部音声入力端子）を介して、音声データを入力し、ＷｉＨＤ−Ｔｘアダプタ４０は、ＳＰＤＩＦ等の、ＨＤＭＩ以外の外部音声出力端子（以下、外部音声出力端子）を介して音声を出力する。これにより、ＷｉＨＤ−Ｒｘ３０アダプタ及び、ＷｉＨＤ−Ｔｘアダプタ４０は、接続される機器が、ＡＲＣに対応している場合、および、対応していない場合のいずれの場合でも、ＨＤＭＩシンクからの音声データを、ＨＤＭＩソースへ伝送することができる。
【００６３】
このように、デジタル音声データを受信する機能を備えることで、ＢＤに記録されたＡＶコンテンツを、ＢＤシステム２０で再生する場合にも、テレビ１０が備えるチューナー（図示せず）を介して受信したコンテンツを視聴する場合にも、ＢＤシステム２０が有するスピーカから、音声を出力することができる。
【００６４】
図２は、実施の形態に係るＷｉＨＤ−Ｒｘアダプタ３０の、主要な機能構成を示すブロック図である。
【００６５】
ＷｉＨＤ−Ｒｘアダプタ３０は、ＨＤＭＩ出力端子３０１、外部音声入力端子３０２、入力信号切換部３０３、制御部３０４、ＷｉＨＤレシーバ３０５、ＨＤＭＩトランスミッタ３０６を備える。
【００６６】
ＨＤＭＩ出力端子３０１は、ＨＤＭＩケーブル３１を接続する端子で、ＨＤＭＩトランスミッタ３０６が出力するＴＭＤＳ信号を出力するＴＭＤＳライン、ＣＥＣコマンド（図２のＣＥＣコマンド３１１ｃを参照）を送受信するＣＥＣライン、Ｅ−ＥＤＩＤデータを送受信するＤＤＣライン、及び、ＡＲＣなどで利用されるＵｔｉｌｉｔｙラインなど、多数のケーブルを含んでいる。
【００６７】
外部音声入力端子３０２は、ＳＰＤＩＦなどの音声データを、入力信号切換部３０３に入力する端子である。なお、外部音声入力端子３０２は、ＳＰＤＩＦに限らず、アナログ音声入力など、その他の音声入力であってもよい。
【００６８】
入力信号切換部３０３は、外部音声入力端子３０２からの入力、または、ＨＤＭＩ出力端子３０１からの、ＡＲＣによって入力する音声データのいずれか一方を、符号化部３２１に送信する。入力元の信号は、制御部３０４からの指示で切り換える。
【００６９】
また、制御部３０４は、ＣＥＣコマンド認識部３１１と、記憶部３１２と有する。
【００７０】
制御部３０４は、ＨＤＭＩ入力端子３０１のＣＥＣラインから入力されるＣＥＣコマンドを受信すると、符号化部３２１へ通知し、復号化部３２４からＣＥＣコマンドを受信すると、ＨＤＭＩ出力端子３０１のＣＥＣラインへ出力する。また同時に、送受信されるＣＥＣコマンドについて、記憶部３１２を参照しつつ、ＣＥＣコマンド認識部３１１が解析し、ＡＲＣによる音声出力を開始すること通知するコマンドを検出した場合には、入力信号切換部３０３の入力元を、ＡＲＣによる入力に切り換える指示を行い、ＡＲＣによる音声出力の停止を指示するコマンドを検出した場合には、入力切換部３０３の入力元を、外部音声入力端子３０２に切り換える指示を行う。ＣＥＣコマンドの検出による切り換えの処理の詳細については後述する。
【００７１】
ＨＤＭＩトランスミッタ３０６は、復号化部３２４によって復号化された映像・音声信号を、ＨＤＭＩの映像・音声信号であるＴＭＤＳに変換して、ＨＤＭＩ出力端子３０１を介して出力する。
【００７２】
ＷｉＨＤレシーバ３０５は、符号化部３２１と、ＷｉＨＤ制御部３２２と、アンテナ部３２３と、復号化部３２４を備える。
【００７３】
アンテナ部３２３は、複数のアンテナ素子を有しており、これによりＨＲＰを受信、また、ＬＲＰの送受信を行う。非圧縮の映像・音声データは、ＨＲＰとして伝送され、制御信号または音声データは、ＬＲＰとして送受信される。なお、本明細書において、「信号が伝送される」という場合、２つの機器の少なくとも一方から他方への信号の送信が行われることを意味する。
【００７４】
復号化部３２４は、アンテナ部３２３が受信したＨＲＰまたはＬＲＰを復号し、映像または音声は、ＨＤＭＩトランスミッタ３０６に送信し、制御コマンドは、制御部３０４に送信する。
【００７５】
符号化部３２１は、入力信号切換部３０３から入力された音声信号や、制御部３０４から入力されたＣＥＣコマンドを、ＷｉＨＤのＬＲＰで伝送できるように符号化し、アンテナ部３２３に送信する。
【００７６】
ＷｉＨＤ制御部３２２は、アンテナ部３２３の制御を行い、ＷｉＨＤ接続の管理を行う。
【００７７】
なお、本明細書において、「ＷｉＨＤ信号」は、ＷｉＨＤの規格に従い、ＨＲＰまたはＬＲＰとして送受信される信号の総称として用いている。
【００７８】
図３は、実施の形態１に係るＷｉＨＤ−Ｔｘアダプタ４０の主要な機能構成を示すブロック図である。
【００７９】
ＷｉＨＤ−Ｔｘアダプタ４０は、ＨＤＭＩ入力端子４０１、外部音声出力端子４０２、出力信号切換部４０３、制御部４０４、ＷｉＨＤトランスミッタ４０５、ＨＤＭＩレシーバ４０６を備える。
【００８０】
ＨＤＭＩ入力端子４０１は、ＨＤＭＩケーブル４１を接続する端子で、ＢＤシステム２０などのＨＤＭＩソースからのＴＭＤＳ信号を受信するＴＭＤＳライン、ＣＥＣコマンドを送受信するＣＥＣライン、Ｅ−ＥＤＩＤデータを送受信するＤＤＣライン及び、ＡＲＣなどで利用されるＵｔｉｌｉｔｙラインなどの、多数のケーブルを含んでいる。
【００８１】
外部音声出力端子４０２は、ＳＰＤＩＦなどの音声データを、他の機器に出力する端子である。なお、外部音声入力端子４０２は、ＳＰＤＩＦに限らず、アナログ音声出力など、その他の音声出力であってもよい。
【００８２】
出力信号切換部４０３は、復号化部４２３から入力されたデジタル音声データを、外部音声出力端子４０２または、ＨＤＭＩ入力端子４０１を介した、ＡＲＣによる出力のいずれか一方で送信する。信号の出力先は、制御部４０４からの指示で切り換える。
【００８３】
制御部４０４は、ＣＥＣコマンド認識部４１１と、記憶部４１２と有する。
【００８４】
制御部４０４は、アンテナ部４２４が受信し、復号化部４２３か復号した制御コマンドを受信すると、ＨＤＭＩ入力端子４０１のＣＥＣラインへ、ＣＥＣコマンドを送信し、ＣＥＣラインからＣＥＣコマンドを受信すると、符号化部４２１に、ＣＥＣコマンドを送信する。また、同時に、送受信されるＣＥＣコマンドについて、記憶部４１２を参照しつつ、ＣＥＣコマンド認識部４１１が解析し、ＡＲＣによる音声出力を開始することを通知するコマンドを検出した場合には、出力信号切換部４０３の出力先を、ＡＲＣによる出力に切り換える指示を行い、ＡＲＣ機能の停止を指示するコマンドを検出した場合には、出力信号切換部４０３の出力先を、外部音声出力端子４０２に切り換える指示を行う。ＣＥＣコマンドの検出による切り換えの処理の詳細については後述する。
【００８５】
ＨＤＭＩレシーバ４０６は、ＨＤＭＩ入力端子４０１を介して受信した、映像・音声信号を受信して、符号化部４２１に送信する。
【００８６】
ＷｉＨＤトランスミッタ４０５は、符号化部４２１と、ＷｉＨＤ制御部４２２と、アンテナ部４２４と、復号化部４２３を備える。
【００８７】
アンテナ部４２４は、複数のアンテナ素子を有し、ＨＲＰを受信し、また、ＬＲＰの送受信を行う。非圧縮の映像・音声信号は、ＨＲＰ信号として伝送され、制御信号または音声信号は、ＬＲＰ信号として送受信される。
【００８８】
復号化部４２３は、アンテナ部４２４が受信したＬＲＰを復号し、制御コマンドは制御部４０４に送信し、音声データは出力信号切換部４０３に送信する。
【００８９】
符号化部４２１は、ＨＤＭＩレシーバ４０６から入力された映像・音声データは、ＨＲＰで送信できるように符号化し、制御部４０４から入力されたＣＥＣコマンドは、ＬＲＰで伝送できるように符号化し、アンテナ部４２４に送信する。
【００９０】
ＷｉＨＤ制御部４２２は、アンテナ部４２４の制御を行い、ＷｉＨＤ接続の管理を行う。
【００９１】
以下、図２から図５を参照しつつ、ＷｉＨＤ−Ｒｘアダプタ３０及び、ＷｉＨＤ−Ｔｘアダプタ４０において、ＣＥＣコマンドを検出することで、ＷｉＨＤ音声バックチャネルで伝送されるデジタル音声データの入出力に、ＡＲＣを用いる場合と、外部音声入力・出力を用いる場合とを切り換える方法について説明する。
【００９２】
図４ａ、図４ｂは、実施の形態１にかかるＷｉＨＤ−Ｒｘアダプタ３０の動作の流れを示す流れ図である。
【００９３】
図５ａ、図５ｂは、実施の形態１にかかるＷｉＨＤ−Ｔｘアダプタ４０の動作の流れを示す流れ図である。
【００９４】
ＷｉＨＤ−Ｒｘアダプタ３０、およびＷｉＨＤ−Ｔｘアダプタ４０は、電源が入ると、ＷｉＨＤで通信可能な機器を確認する。その結果、通信可能な範囲内に、ＷｉＨＤで通信可能な機器を発見すると、ＷｉＨＤ−Ｒｘアダプタ３０のＷｉＨＤ制御部３２２、及び、ＷｉＨＤ−Ｔｘアダプタ４０のＷｉＨＤ制御部４２２は、それぞれの有するアンテナ部、符号化部、復号化部を介して、制御信号の送受信を行い、お互いに、制御コマンド及び映像・音声データを送受信するためのアドレス情報を取得する。また、送受信するデータを暗号化するための鍵情報の交換も行う。
【００９５】
次に、ＷｉＨＤ−Ｒｘアダプタ３０の制御部３２２は、テレビ１０から、ＨＤＭＩ出力端子３０１を介して、Ｅ−ＥＤＩＤデータを取得し、アンテナ部３２３を介して、ＷｉＨＤ−Ｔｘアダプタ４０へ、その内容を転送する。この際、Ｅ−ＥＤＩＤに含まれるＰＡの値を、ＷｉＨＤ−ＴｘアダプタにＨＤＭＩケーブルで接続されている機器のＰＡとして、記憶部３１２に保存する。また、当該ＰＡの値から、テレビ１０のＰＡを算出する。即ち、取得した４桁のＰＡのうち、０以外の値になっている桁で、もっとも下位の桁を０にする。例えば、取得したＰＡが１．２．０．０の場合には、２の値の桁を０にした１．０．０．０が、ＨＤＭＩ出力端子３０１に接続した機器のＰＡとなる。制御部３０４は、テレビ１０から取得したＰＡから、テレビ１０自身のＰＡを算出し、算出されたＰＡを、記憶部３１２に、ＷｉＨＤ−Ｒｘアダプタ３０にＨＤＭＩケーブルで接続された機器のＰＡとして保存する。
【００９６】
ＷｉＨＤ−Ｒｘアダプタ３０の制御部３０４は、ＨＤＭＩ出力端子３０１を介して、ＣＥＣコマンドを受信した場合に、符号化部３２１及びアンテナ部を介して、ＷｉＨＤ−Ｔｘアダプタ４０に送信する。ただし、<Report Physical Address>コマンドを受信した場合には、パラメタのＰＡと、記憶部３１２に保存されたＰＡを比較し、一致する場合には、当該コマンドの送信元ＬＡを、ＷｉＨＤ−Ｒｘアダプタ３０にＨＤＭＩケーブル３１で接続された機器のアドレスとして、ＰＡとＬＡとを関連付けして保存する。
【００９７】
入力信号切換部３０３は、電源オンしてから、特に指示を受信しない場合には、外部音声入力からの信号を入力する。
【００９８】
ＷｉＨＤ−Ｔｘアダプタ４０の制御部４０４は、ＷｉＨＤ−Ｒｘアダプタ３０が送信したＥ−ＥＤＩＤを、Ｅ−ＥＤＩＤ記憶部４０７に保存する。ＨＤＭＩ入力端子４０１に含まるＤＤＣライン（図示せず）を介して、Ｅ−ＥＤＩＤ送信要求を受信した場合に、要求されたアドレスの値を送信する。また、Ｅ−ＥＤＩＤに含まれるＰＡの値を、ＷｉＨＤ−Ｔｘアダプタ４０にＨＤＭＩケーブルで接続されている機器のＰＡとして、記憶部４１２に保存する。また、Ｅ−ＥＤＩＤに含まれるＰＡの値から、ＷｉＨＤ−Ｒｘアダプタ３０にＨＤＭＩケーブルで接続されている機器のＰＡを算出し、記憶部４１２に保存する。ここで、ＰＡの算出方法は、前記ＷｉＨＤ−Ｒｘアダプタ３０において算出する場合（先述の説明を参照）と同様である。
【００９９】
ＷｉＨＤ−Ｒｘアダプタ３０の制御部３０４は、ＨＤＭＩ出力部３０１を介して、ＣＥＣコマンドを受信した場合に、符号化部３２１及びアンテナ部３２３を介して、ＷｉＨＤ−Ｔｘアダプタ４０に、ＣＥＣコマンドとして送信する。ただし、当該ＣＥＣコマンドが、<Report Physical Address>コマンドであった場合には、パラメタのＰＡと、記憶部３１１に保存されたＰＡ、即ち、ＷｉＨＤ−Ｒｘ３０アダプタに接続された機器のＰＡと、ＷｉＨＤ−Ｔｘアダプタ４０に接続された機器のＰＡとそれぞれ比較し、一致した場合には、当該コマンドの送信元ＬＡの値を、ＰＡと関連付けして保存する。これにより、ＷｉＨＤ−Ｒｘアダプタ３０に接続された機器のＰＡ及びＬＡと、ＷｉＨＤ−Ｔｘアダプタ４０に接続された機器のＰＡ及びＬＡとを保存することができる。ただし、ＰＡが０．０．０．０であった場合には、<Report Physical Address>を受信がなくとも、ＬＡの値は０とみなして保存する。
【０１００】
ＷｉＨＤ−Ｔｘアダプタ４０の制御部４０４は、ＨＤＭＩ入力部４０１を介して、ＣＥＣコマンドを受信した場合に、符号化部４２１及びアンテナ部４２４を介して、ＷｉＨＤ−Ｒｘアダプタ３０に送信する。<Report Physical Address>コマンドを受信した場合には、ＷｉＨＤ−Ｒｘアダプタと同様に、パラメタのＰＡと、記憶部４１２に保存されたＰＡを比較し、一致する場合には、当該コマンドの送信元ＬＡの値を、ＰＡと関連付けして保存する。
【０１０１】
（ＡＲＣで入出力する場合）
テレビ１０とＢＤシステム２０の間において、ＡＲＣを使用する際には、まずＢＤシステム２０から、＜Ｉｎｉｔｉａｔｅ  ＡＲＣ＞コマンドが送信される。テレビ１０は、＜Ｉｎｉｔｉａｔｅ  ＡＲＣ＞コマンドを受信すると、送信元のＬＡのＨＤＭＩ入力端子が、ＡＲＣ対応であるかを確認し、ＡＲＣ対応であると確認された場合にのみ、＜Ｒｅｐｏｒｔ  ＡＲＣ  Ｉｎｉａｔｅｄ＞コマンドを送信する。
【０１０２】
図４ａにより、ＷｉＨＤ−Ｒｘアダプタ３０の動作が示される。
【０１０３】
テレビ１０が、ＣＥＣラインを介して、ＣＥＣコマンドを送信すると、ＷｉＨＤ−Ｒｘアダプタ３０の制御部３０４が、コマンドを受信する（ステップＳ３０１）。制御部３０４は、符号化部３２１及びアンテナ部３２３を介して、受信された当該コマンドを、ＷｉＨＤ−Ｔｘアダプタ４０へ送信する（ステップＳ３０２）とともに、ＣＥＣコマンド認識部にて、受信された当該コマンドの内容を調べる。
【０１０４】
そして、受信したＣＥＣコマンドが、＜Ｒｅｐｏｒｔ  ＡＲＣ  Ｉｎｉｔｉａｔｅｄ＞以外であった場合には、なにもしない（ステップＳ３０３でＮｏ）。
【０１０５】
一方、受信したＣＥＣコマンドが、＜Ｒｅｐｏｒｔ  ＡＲＣ  Ｉｎｉｔｉａｔｅｄ＞であった場合（ステップＳ３０３でＹｅｓ）には、当該コマンドは、ＨＤＭＩのＡＲＣ機能が有効になったことを意味する。
【０１０６】
ただし、ＣＥＣコマンドとしては、直接接続していない機器のコマンドも受信することができるため、ＷｉＨＤ−Ｒｘアダプタ３０において、入力信号切換部３０３の制御が必要か否かを確認する必要がある。
【０１０７】
そこで、制御部３０４は、受信したコマンドの送信元ＬＡと、宛先ＬＡとについて、それぞれ、記憶部３１２に記憶されているＬＡと比較する（Ｓ３０４）。コマンドの送信元ＬＡが、ＷｉＨＤ−Ｒｘアダプタ３０に接続されている機器のＬＡで、かつ、宛先のＬＡが、ＷｉＨＤ−Ｔｘアダプタ４０に接続されている機器のＬＡである場合に、ＷｉＨＤ−Ｒｘアダプタ３０にＨＤＭＩケーブル３１で接続した機器が、ＡＲＣを有効にし、音声データをＡＲＣによって出力し始めることを意味する（ステップＳ３０４でＹｅｓ）。
【０１０８】
従って、このような、ステップＳ３０４でＹｅｓの場合に、制御部２０４は、入力信号切換部３０３に、信号の入力元を、ＡＲＣで入力するように切り換える指示を出し（ステップＳ３０５）、ＷｉＨＤ−Ｔｘアダプタ４０へ、受信したＣＥＣコマンドを通知する。
【０１０９】
図５ａにより、ＷｉＨＤ−Ｔｘアダプタ４０の動作が示される。
【０１１０】
ＷｉＨＤ−Ｔｘアダプタ４０は、ＷｉＨＤ−Ｒｘアダプタ３０からのＣＥＣコマンドの通知を、アンテナ部４２４を介して受信し、復号化部４２３にて復号し、制御部４０４がこれを受信する（図５ａのＳ４０１）。制御部４０４は、ＨＤＭＩ入力端子４０１を介してＣＥＣコマンドを送信する（ステップＳ４０２）とともに、ＣＥＣコマンド認識部４１１にて、受信したコマンドの内容を調べる。
【０１１１】
ここで、受信したＣＥＣコマンドが、＜Ｒｅｐｏｒｔ  ＡＲＣ  Ｉｎｉｔｉａｔｅｄ＞であった場合（ステップＳ４０３でＹＥＳ）には、当該コマンドは、ＨＤＭＩのＡＲＣ機能が有効になったことを意味する。
【０１１２】
ただし、直接接続していない機器のＣＥＣコマンドの送受信の場合もあるため、ＷｉＨＤ−Ｔｘアダプタ４０において、出力信号切換部４０３の制御が必要か否かを確認する必要がある。
【０１１３】
そこで、制御部４０４は、受信したコマンドの送信元ＬＡと、宛先ＬＡとについて、それぞれ、記憶部４１２に記憶されているＬＡと比較する（Ｓ４０４）。コマンドの送信元ＬＡが、ＷｉＨＤ−Ｒｘアダプタ３０に接続されている機器のＬＡで、かつ、宛先のＬＡが、ＷｉＨＤ−Ｔｘアダプタ４０に接続されている機器のＬＡである場合に、ＷｉＨＤ−Ｒｘアダプタ３０にＨＤＭＩケーブル３１で接続した機器が、ＡＲＣを有効にし、音声データを、ＡＲＣによって出力し始めることを意味する（ステップＳ４０４でＹｅｓ）。
【０１１４】
従って、このような、ステップＳ４０４でＹｅｓの場合に、制御部４０３は、出力信号切換部４０３に信号の出力先を、ＡＲＣで出力するように切り換える指示を出す（ステップＳ４０５）。
【０１１５】
以上のように実施することで、ＷｉＨＤ−Ｒｘ３０及びＷｉＨＤ−Ｔｘ４０に接続されたテレビ１０及びＢＤシステム２０において、ＡＲＣの送信、受信が有効になると同時に、ＷｉＨＤにおいても、ＡＲＣを伝送できるようにすることができる。
【０１１６】
また、テレビ１０とＢＤシステム２０の間において、ＡＲＣの使用を停止する際には、まずＢＤシステム２０から、＜Ｔｅｒｍｉｎａｔｅ  ＡＲＣ＞コマンドが送信される。テレビ１０は、＜Ｔｅｒｍｉｎａｔｅ  ＡＲＣ＞コマンドを受信すると、送信元のＬＡのＨＤＭＩ入力端子がＡＲＣ対応であるかを確認し、ＡＲＣ対応である場合に、＜Ｒｅｐｏｒｔ  ＡＲＣ  Ｔｅｒｍｉｎａｔｅｄ＞コマンドを送信する。
【０１１７】
図５ｂにより、ＷｉＨＤ−Ｔｘアダプタ４０の動作が示される。
【０１１８】
ＢＤシステム２０が、ＣＥＣラインを介して、ＣＥＣコマンドを送信すると、ＷｉＨＤ−Ｔｘアダプタ４０の制御部４０４がコマンドを受信する（ステップＳ４１１）。制御部４０４は、符号化部４２１及びアンテナ部４２４を介して、当該コマンドを、ＷｉＨＤ−Ｒｘアダプタ３０へ送信する（ステップＳ４１２）とともに、ＣＥＣコマンド認識部４１１にて、当該コマンドの内容を調べる。
【０１１９】
ここで、受信したＣＥＣコマンドが、＜Ｔｅｒｍｉｎａｔｅ  ＡＲＣ＞であった場合（ステップＳ４１３）には、当該コマンドは、ＨＤＭＩのＡＲＣ機能が無効にする要求を意味する。
【０１２０】
ただし、直接接続していない機器のＣＥＣコマンドの送受信の場合もあるため、ＷｉＨＤ−Ｔｘアダプタ４０において、出力信号切換部４０３の制御が必要か否かを確認する必要がある。
【０１２１】
そこで、制御部４０４は、受信したコマンドの送信元ＬＡと、宛先ＬＡとについて、それぞれ、記憶部４１２に記憶されているＬＡと比較する（Ｓ４１４）。コマンドの宛先ＬＡが、ＷｉＨＤ−Ｒｘアダプタ３０に接続されている機器のＬＡで、かつ、送信元ＬＡが、ＷｉＨＤ−Ｔｘアダプタ４０に接続されている機器のＬＡである場合に、ＷｉＨＤ−Ｔｘアダプタ４０に、ＨＤＭＩケーブル４１で接続した機器が、ＡＲＣの入力を無効にすることを意味する（ステップＳ４１４でＹｅｓ）。
【０１２２】
従って、制御部４０４は、このような、ステップＳ４１４でＹｅｓの場合に、出力信号切換部４０３に、信号の出力先を、外部音声出力で出力するように切り換える指示を出す（ステップＳ４１５）。
【０１２３】
図４ｂにより、ＷｉＨＤ−Ｒｘアダプタ３０の動作が示される。
【０１２４】
一方、ＷｉＨＤ−Ｒｘアダプタ３０は、ＷｉＨＤ−Ｔｘアダプタ４０からのＣＥＣコマンドの通知を、アンテナ部３２３を介して受信し、復号化部３２４にて復号し、制御部３０４がこれを受信する（Ｓ３１１）。制御部３０４は、ＨＤＭＩ入力端子３０１を介して、ＣＥＣコマンドを送信する（ステップＳ３１２）とともに、ＣＥＣコマンド認識部３１１にて、受信したコマンドの内容を調べる。
【０１２５】
ここで、受信したＣＥＣコマンドが、＜Ｔｅｒｍｉｎａｔｅ  ＡＲＣ＞であった場合（ステップＳ３１３でＹｅｓ）には、当該コマンドは、ＨＤＭＩのＡＲＣ機能を無効にすることを意味する。
【０１２６】
ただし、ＣＥＣコマンドは、直接接続していない機器のコマンドも受信することができるため、ＷｉＨＤ−Ｒｘアダプタ３０において、入力信号切換部３０３の制御が必要か否かを確認する必要がある。
【０１２７】
そこで、制御部３０４は、受信したコマンドの送信元ＬＡと、宛先ＬＡとについて、それぞれ、記憶部３１２に記憶されているＬＡと比較する（Ｓ３１４）。コマンドの宛先ＬＡが、ＷｉＨＤ−Ｒｘアダプタ３０に接続されている機器のＬＡで、かつ、送信元ＬＡが、ＷｉＨＤ−Ｔｘアダプタ４０に接続されている機器のＬＡである場合に、ＷｉＨＤ−Ｔｘアダプタ４０にＨＤＭＩケーブル４１で接続した機器が、ＡＲＣの入力を無効にすることを意味する（ステップＳ３１４でＹｅｓ）。
【０１２８】
従って、制御部３０４は、このような、ステップＳ３１４でＹｅｓの場合に、入力信号切換部３０３に、信号の入力元を、外部音声入力で入力するように切り換える指示を出す（ステップＳ３１５）。
【０１２９】
以上のように実施することで、ＷｉＨＤ−Ｒｘ３０及びＷｉＨＤ−Ｔｘ４０に接続されたテレビ１０及びＢＤシステム２０において、ＡＲＣの送信、受信がそれぞれ無効になると同時に、ＷｉＨＤにおいても、ＡＲＣの伝送を中止し、外部音声入力・出力での伝送に切り換えることができる。
【０１３０】
また、外部音声入力から入力した音声データを、音声バックチャネル伝送している状態において、接続された機器が、ＡＲＣの使用を開始すると、即座に、ＷｉＨＤにおいても、ＡＲＣによって入力された音声データの伝送に切り換えることができる。
【０１３１】
なお、本実施例においては、ＡＲＣによる伝送の開始を検出する方法として、＜Ｒｅｐｏｒｔ  ＡＲＣ  Ｉｎｉｔｉａｔｅｄ＞コマンドの検出を説明したが、ＨＤＭＩ規格において、ＡＲＣを開始するために送受信されるＣＥＣコマンドであれば、他のコマンドを検出してもよい。同様に、ＡＲＣによる伝送の停止を検出する方法として、＜Ｔｅｒｍｉｎａｔｅ  ＡＲＣ＞コマンドの検出を説明したが、ＡＲＣを停止するために送受信されるＣＥＣコマンドであれば、他のコマンドを検出してもよい。
【０１３２】
（実施の形態２  ：  ＡＲＣ信号検出で切り換え）
以下で示されるように、例えば、無線受信器（ＷｉＨＤ−Ｒｘアダプタ５０）において、前記検出部（音声信号検出部５０７、制御部５０４）は、前記第二の音声データ（ＡＲＣの信号３０１ａＳ）の入力を検出し、前記無線入出力部は、前記第一の音声データを無線で出力中に、前記検出部が、前記第二の音声データの入力を検出することにより、前記第二の音声データの通信が開始されることを検出すると（Ｓ５０１）、前記第一の音声データの出力を停止し、前記第二の音声データを無線で出力するとともに（Ｓ５０２）、前記第二の音声データの通信が開始されることを通知する制御コマンドを、前記無線送信機（ＷｉＨＤ−Ｔｘアダプタ６０）に送信し（Ｓ５０３）、第二の音声データを無線で出力中に、前記検出部が、前記第二の音声データの入力が無くなったことを検出することにより、前記第二の音声データの通信が停止されることを検出すると（Ｓ５１１）、前記第二の音声データの出力を停止し、前記第一の音声データを出力するとともに（Ｓ５１２）、前記第二の音声データの通信が停止されることを通知する制御コマンドを、前記無線送信機に送信してもよい（Ｓ５１３）。
【０１３３】
そして、無線送信機において、前記音声出力切換部（出力信号切換部４０３）は、前記第一の音声データ出力部から出力中に、前記無線受信機から、当該無線受信機への、前記第二の音声データ（３０２Ｓ）の入力を通知する前記第一の制御コマンドを受信すると（Ｓ６０１）、前記第一の音声データ出力部からの出力を停止させ、前記第二の音声データ出力部から出力させ（Ｓ６０２）、前記第二の音声データ出力部から出力中に、前記無線受信機から、当該無線受信機への、前記第二の音声データの入力が無くなったことを通知する前記第二の制御コマンドを受信すると（Ｓ６１１）、前記第二の音声データ出力部からの出力を停止させ、前記第一の音声データ出力部から出力させでもよい（Ｓ６１２）。
【０１３４】
図６は、実施の形態２に係るＡＶシステム１０１の構成図である。
【０１３５】
ＡＶシステム１０１は、本技術が適用された映像表示システムの一例であり、図６に示すように、テレビ１０と、ＢＤシステム２０と、ＷｉＨＤ−Ｒｘアダプタ５０およびＷｉＨＤ−Ｔｘアダプタ６０（無線送受信システム５０ｘ）とを備える。テレビ１０及びＢＤシステム２０は、実施の形態１と同じであるため、説明を適宜、省略する。
【０１３６】
図７は、実施の形態２に係るＷｉＨＤ−Ｒｘアダプタ５０の主要な機能構成を示すブロック図である。
【０１３７】
ＷｉＨＤ−Ｒｘアダプタ３０は、ＨＤＭＩ出力端子３０１、外部音声入力端子３０２、入力信号切換部３０３、制御部３０４、ＷｉＨＤレシーバ３０５、ＨＤＭＩトランスミッタ３０６を備える。
【０１３８】
ここで、入力信号切換部３０３、ＷｉＨＤレシーバ３０５及びＨＤＭＩトランスミッタ３０６は、実施の形態１にかかるＷｉＨＤ−Ｒｘアダプタ３０と同様であるため、説明を適宜、省略する。
【０１３９】
音声信号検出部５０７は、ＡＲＣによって音声データが入力されているか、否かを検出し、音声データの入力が検出された際には、制御部５０４に、ＡＲＣによる入力の開始を通知する。
【０１４０】
制御部５０４は、音声信号検出部５０７から、ＡＲＣによる入力の開始を通知された場合には、入力信号切換部３０３の入力元を、ＡＲＣによる入力に切り換える指示を行い、符号化部３２１及びアンテナ部３２３を介して、ＡＲＣによる入力開始を通知する制御コマンドを、ＷｉＨＤ−Ｔｘアダプタ６０に通知する（Ｓ５０３）。
【０１４１】
また、制御部５０４は、音声信号検出部５０７から、ＡＲＣによる入力の停止を通知された場合には、入力信号切換部３０３の入力元を、外部音声入力に切り換える指示を行い、符号化部３２１及びアンテナ部３２３を介して、ＡＲＣによる入力停止を通知する制御コマンドを、ＷｉＨＤ−Ｔｘアダプタ６０に通知する（Ｓ５１３）。
【０１４２】
図８は、実施の形態２に係るＷｉＨＤ−Ｔｘアダプタ６０の主要な機能構成を示すブロック図である。
【０１４３】
ＷｉＨＤ−Ｔｘアダプタ６０は、ＨＤＭＩ入力端子４０１、外部音声出力端子４０２、出力信号切換部４０３、制御部６０４、ＷｉＨＤトランスミッタ４０５、ＨＤＭＩレシーバ４０６、Ｅ−ＥＤＩＤ記憶部４０７を備える。
【０１４４】
ここで、入力信号切換部４０３、ＷｉＨＤトランスミッタ４０５、ＨＤＭＩレシーバ４０６、ＷｉＨＤトランスミッタ４０５、Ｅ−ＥＤＩＤ記憶部４０７は、実施の形態１にかかるＷｉＨＤ−Ｔｘアダプタ４０が備えているものと同様であるため、説明を適宜、省略する。
【０１４５】
制御部６０４は、復号化部４２３を介して、ＷｉＨＤ−Ｒｘアダプタ５０からの制御コマンドを受信する。ＷｉＨＤ−Ｒｘアダプタ５０から、ＡＲＣによる入力の開始を通知する制御コマンド（Ｓ５０３）を受信した場合には（Ｓ６０１）、出力信号切換部４０３の出力先を、ＡＲＣによる出力に切り換える指示を行う（Ｓ６０２）。また、ＷｉＨＤ−Ｒｘアダプタ５０から、ＡＲＣによる入力の停止を通知する制御コマンド（Ｓ５１３）を受信した場合には（Ｓ６１１）、出力信号切換部４０３の出力先を、外部音声出力に切り換える指示を行う（Ｓ６１２）。
【０１４６】
以下、図７から図１０を参照しつつ、ＷｉＨＤ−Ｒｘアダプタ５０及び、ＷｉＨＤ−Ｔｘアダプタ６０において、入力される音声信号を検出することで、ＷｉＨＤ音声バックチャネルで伝送されるデジタル音声データの入出力に、ＡＲＣを用いる場合と、外部音声入力・出力を用いる場合とを切り換える方法について説明する。
【０１４７】
図９ａ、図９ｂは、実施の形態２に係るＷｉＨＤ−Ｒｘアダプタ５０の動作の流れを示す流れ図である。
【０１４８】
図１０ａ、図１０ｂは、実施の形態２に係るＷｉＨＤ−Ｔｘアダプタ６０の動作の流れを示す流れ図である。
【０１４９】
ＷｉＨＤ−Ｒｘアダプタ５０、ＷｉＨＤ−Ｔｘアダプタ６０は、実施の形態１と同様に、電源が入ると、ＷｉＨＤで通信可能な機器を確認し、通信可能な範囲内に、ＷｉＨＤで通信可能な機器を発見すると、ＷｉＨＤ−Ｒｘアダプタ５０のＷｉＨＤ制御部５０、及び、ＷｉＨＤ−Ｔｘアダプタ６０のＷｉＨＤ制御部６０は、お互いに制御コマンド及び映像・音声データを送受信するためのアドレス情報を取得する。また、送受信するデータを暗号化するための鍵情報の交換も行う。
【０１５０】
次に、ＷｉＨＤ−Ｒｘアダプタ５０の制御部５０４は、テレビ１０からＨＤＭＩ出力端子３０１を介して、Ｅ−ＥＤＩＤデータを取得し、アンテナ部３２４を介して、ＷｉＨＤ−Ｔｘアダプタ６０へその内容を転送する。
【０１５１】
ＷｉＨＤ−Ｔｘアダプタ６０の制御部６０４は、ＷｉＨＤ−Ｒｘアダプタ５０から、Ｅ−ＥＤＩＤ情報を受信すると、Ｅ−ＥＤＩＤ記憶部４０７（図８）に、そのデータを保存する。Ｅ−ＥＤＩＤ記憶部４０７は、ＨＤＭＩ入力端子４０１を介して、接続されたＨＤＭＩソースから、Ｅ−ＥＤＩＤ送信要求を受信すると、要求されたアドレスの情報を送信する。
【０１５２】
また、制御部６０４は、ＨＤＭＩ入力端子４０１を介して、ＣＥＣコマンドを受信した場合に、符号化部４２１及びアンテナ部を介して、ＷｉＨＤ−Ｒｘアダプタ５０に送信する。
【０１５３】
（ＡＲＣによる伝送を開始するときの動作）
テレビ１０とＢＤシステム２０の間において、ＡＲＣを使用する際には、まずＢＤシステム２０から、＜Ｉｎｉｔｉａｔｅ  ＡＲＣ＞コマンドが送信される。テレビ１０は、＜Ｉｎｉｔｉａｔｅ  ＡＲＣ＞コマンドを受信すると、送信元のＬＡのＨＤＭＩ入力端子がＡＲＣ対応であるかを確認し、ＡＲＣ対応である場合にのみ、＜Ｒｅｐｏｒｔ  ＡＲＣ  Ｉｎｉａｔｅｄ＞コマンドを送信する。
【０１５４】
テレビ１０が、ＣＥＣラインを介して、ＣＥＣコマンドを送信すると、ＷｉＨＤ−Ｒｘアダプタ３０の制御部５０４が、コマンドを受信し、当該ＣＥＣコマンドを、ＷｉＨＤ−Ｔｘアダプタ６０へ送信する。
【０１５５】
ＷｉＨＤ−Ｔｘアダプタ６０は、ＷｉＨＤ−Ｒｘアダプタ５０からのＣＥＣコマンドの通知を、アンテナ部４２４を介して受信し、復号化部４２３にて復号し、制御部６０４が、これを受信する。制御部６０４は、ＨＤＭＩ入力端子４０１を介して、受信したコマンドを、ＣＥＣコマンドとして送信する。
【０１５６】
ＷｉＨＤ−Ｒｘアダプタ５０と、ＷｉＨＤ−Ｔｘアダプタ６０を介して、テレビ１０とＢＤシステム２０の間で、ＣＥＣコマンドの送受信を行い、所定のシーケンスを実施することで、テレビ１０は、ＡＲＣによる音声データを出力することができるようになる。
【０１５７】
テレビ１０が、ＡＲＣによる音声データの出力を開始すると、ＷｉＨＤ−Ｒｘアダプタ５０は、ＨＤＭＩ出力端子３０１を介して、音声データを受信する。
【０１５８】
図９ａは、ＷｉＨＤ−Ｒｘアダプタ５０の動作を示す図である。
【０１５９】
音声信号検出部５０７は、音声データの入力を検出すると、制御部５０４へ、ＡＲＣによる音声データの入力が開始されたことを通知する（ステップＳ５０１）。制御部５０４は、音声信号検出部５０７から、ＡＲＣによる入力が開始かれた際の通知を受信すると、入力信号切換部３０３に、音声データの入力元を、ＡＲＣによる入力に切り換えるように指示する（ステップＳ５０２）。また、制御部５０３は、ＷｉＨＤレシーバ３０５の、符号化部３２１及びアンテナ部３２３を介して、ＷｉＨＤ−Ｔｘアダプタ６０に対して、ＡＲＣによる入力開始を通知する制御コマンドを送信する（Ｓ５０３）。
【０１６０】
図１０ａは、ＷｉＨＤ−Ｔｘアダプタ６０の動作を示す図である。
【０１６１】
ＷｉＨＤ−Ｔｘアダプタ６０の制御部６０４は、ＷｉＨＤ−Ｒｘアダプタ５０から、ＡＲＣによる入力開始を通知する制御コマンドを受信すると（Ｓ６０１）、出力信号切換部４０３に対して、出力先を、ＡＲＣによる出力に切り換える指示を出す（Ｓ６０２）。
【０１６２】
以上のように実施することで、ＷｉＨＤ−Ｒｘアダプタ５０及びＷｉＨＤ−Ｔｘアダプタ６０にそれぞれ接続されたテレビ１０及びＢＤシステム２０において、ＡＲＣによる出力、ＡＲＣによる入力が有効になると同時に、ＷｉＨＤにおいてもＡＲＣを伝送できるようにすることができる。
【０１６３】
（ＡＲＣによる伝送を停止するときの動作）
テレビ１０とＢＤシステム２０の間において、ＡＲＣによる伝送を停止する際には、ＢＤシステム２０から、＜Ｔｅｒｍｉｎａｔｅ  ＡＲＣ＞コマンドが送信される。テレビ１０は、＜Ｔｅｒｍｉｎａｔｅ  ＡＲＣ＞コマンドを受信すると、送信元のＬＡのＨＤＭＩ入力端子が、ＡＲＣ対応であるかを確認し、ＡＲＣ対応である場合のみ、＜Ｒｅｐｏｒｔ  ＡＲＣ  Ｉｎｉａｔｅｄ＞コマンドを送信し、ＡＲＣによる、音声データの出力を停止する。
【０１６４】
テレビ１０がＣＥＣラインを介して、ＣＥＣコマンドを送信すると、ＷｉＨＤ−Ｒｘアダプタ５０の制御部５０４が、コマンドを受信し、当該ＣＥＣコマンドを、ＷｉＨＤ−Ｔｘアダプタ６０へ送信する。
【０１６５】
ＷｉＨＤ−Ｔｘアダプタ６０は、ＷｉＨＤ−Ｒｘアダプタ５０からのＣＥＣコマンドの通知を、アンテナ部４２４を介して受信し、復号化部４２３にて復号し、制御部６０４がこれを受信する。制御部６０４は、ＨＤＭＩ入力端子４０１を介して、受信したコマンドを、ＣＥＣコマンドとして送信する。
【０１６６】
ＷｉＨＤ−Ｒｘアダプタ５０とＷｉＨＤ−Ｔｘアダプタ６０を介して、テレビ１０とＢＤシステム２０の間で、ＣＥＣコマンドの送受信を行い、所定のシーケンスを実施すると、テレビ１０は、ＡＲＣによる音声データの出力を停止する。
【０１６７】
図９ｂは、ＷｉＨＤ−Ｒｘアダプタ５０の動作を示す図である。
【０１６８】
音声信号検出部５０７は、音声データの入力が無くなった事を検出すると、制御部５０４へ、ＡＲＣによる音声データの入力が停止されたことを通知する（ステップＳ５１１）。制御部５０４は、音声信号検出部５０７から、ＡＲＣによる入力が停止された際の通知を受信すると、入力信号切換部３０３に、音声データの入力元を、外部音声入力端子３０２に切り換えるように指示する（ステップＳ５１２）。また、制御部５０４は、ＷｉＨＤレシーバ３０５の、符号化部３２１及びアンテナ部３２３を介して、ＷｉＨＤ−Ｔｘアダプタ６０に対して、ＡＲＣによる入力停止を通知する制御コマンドを送信する（Ｓ５１３）。
【０１６９】
図１０ｂは、ＷｉＨＤ−Ｔｘアダプタ６０の動作を示す図である。
【０１７０】
そして、ＷｉＨＤ−Ｔｘアダプタ６０において、Ｓ５１３で送信された制御コマンドが受信され（Ｓ６１１）、出力信号切換部４０３の出力先が、外部音声出力端子４０２に切り換えられる（Ｓ６１２）。
【０１７１】
図１０ｃは、ＷｉＨＤ−Ｔｘアダプタ６０の動作を示す図である。
【０１７２】
また、ＢＤシステム２０における、電源オフや、ＨＤＭＩケーブルを外した等の理由で、ＷｉＨＤ−Ｔｘアダプタ６０のＨＤＭＩ入力端子４０１の＋５Ｖ Ｐｏｗｅｒラインへの電源供給が停止した場合には、次のように動作する。
【０１７３】
すなわち、制御部６０４は、＋５Ｖ Ｐｏｗｅｒラインへの電源供給がなくなったこと（Ｓ６２１）を検出すると（ステップＳ６２２でＹｅｓ）、出力信号切換部４０３の出力先を、外部音声出力に切り換える指示を出し（ステップＳ６２３）、ＷｉＨＤ制御部４２２へ、＋５Ｖ Ｐｏｗｅｒラインの状態が遷移し、ローレベルになったことを通知する。ＷｉＨＤ制御部４２２は、ＨＤＭＩ入力端子４０１の状態変化として、符号化部４２１及びアンテナ部４２４を介して、＋５Ｖ Ｐｏｗｅｒラインの状態が遷移し、ローレベルになったことを、ＷｉＨＤ−Ｒｘアダプタ５０に通知する（ステップＳ６２４）。
【０１７４】
図９ｃは、ＷｉＨＤ−Ｒｘアダプタ５０の動作を示す図である。
【０１７５】
ＷｉＨＤ−Ｒｘアダプタ５０は、ＷｉＨＤ−Ｔｘアダプタ６０から、＋５Ｖ Ｐｏｗｅｒラインの状態遷移の通知を受信する（ステップＳ５２１）。すると、受信がされたことが、制御部５０４に通知される。制御部５０４は、＋５Ｖ Ｐｏｗｅｒラインがローレベルになった場合には（ステップＳ５２２でＹｅｓ）、入力信号切換部３０３に、信号の入力元を、外部音声入力端子３０２に切り換えるように指示する（ステップＳ５２３）。また、ＨＤＭＩ出力端子３０１の＋５Ｖ Ｐｏｗｅｒラインへの電源供給を停止し、ローレベルにする。テレビ１０は、自身が備えるＨＤＭＩ入力端子への、＋５Ｖ  Ｐｏｗｅｒラインの電圧が、所定の値よりも高い場合にのみ、ＡＲＣによる音声出力が可能であるため、ローレベルになると、ＡＲＣによる音声出力を停止する。
【０１７６】
以上のように実施することで、ＷｉＨＤ−Ｒｘアダプタ５０及びＷｉＨＤ−Ｔｘアダプタ６０にそれぞれ接続されたテレビ１０及びＢＤシステム２０において、ＡＲＣによる出力、ＡＲＣによる入力が無効になると同時に、ＷｉＨＤにおいても、ＡＲＣを伝送できるようにすることができる。
【０１７７】
また、外部音声入力端子を介して入力した音声データを、ＷｉＨＤ音声バックチャネル伝送している状態において、接続された機器が、ＡＲＣの使用を開始すると、即座に、ＷｉＨＤにおいても、ＡＲＣによって入力された音声データの伝送に切り換えることができる。
【０１７８】
なお、本技術を実施する際における、実施の形態は、この限りでなく、例えば、実施の形態１におけるＷｉＨＤ−Ｒｘアダプタ３０は、＜Ｒｅｐｏｒｔ  ＡＲＣ  Ｉｎｉｔｉａｔｅｄ＞を検出したときに、ＡＲＣによる入力開始を通知する制御コマンド（実施の形態２のＳ５０３参照）を、ＷｉＨＤ−Ｔｘアダプタ４０に送信することで、実施の形態２におけるＷｉＨＤ−Ｔｘアダプタ６０と組み合わせて使用することもできる。また、ＨＤＭＩシンク及びＨＤＭＩソースは、上記の実施の形態に関わらず、ＨＤＭＩ規格が定める所定のＣＥＣコマンドの送受信を行う必要があるため、実施の形態２におけるＷｉＨＤ−Ｒｘアダプタ５０と、実施の形態１におけるＷｉＨＤ−Ｔｘアダプタ４０とを組み合わせて実施することも可能である。
【０１７９】
このようにして、ＷｉＨＤ−ＲｘアダプタからＷｉＨＤ−Ｔｘアダプタに、ＬＲＰにて音声を伝送する際において、ＨＤＭＩのＡＲＣ入力と、ＳＰＤＩＦなどの外部音声入力などの、複数の音声入力に対応する方法が提供される。つまり、実施の形態１に示されるように、例えば、（１）ＷｉＨＤ−ｘアダプタ及び、ＷｉＨＤ−Ｔｘアダプタのそれぞれに接続された機器の間において送受信される制御コマンド（ＣＥＣコマンド）を検出し、ＡＲＣによる伝送を開始する場合には、ＡＲＣによって入力された音声データを伝送し、ＡＲＣによる伝送を停止する場合、及び、ＡＲＣによる伝送ができない場合には、外部音声入力によって入力された音声データを伝送する。また、実施の形態２に示されるように、例えば、（２）ＷｉＨＤ−Ｒｘアダプタにおいて、ＡＲＣによる音声データの入力を検出し、ＡＲＣによる音声データの入力が検出された際には、ＷｉＨＤ−Ｔｘアダプタに、ＡＲＣによる音声データの入力を通知する制御コマンドを送信し、ＷｉＨＤ−Ｔｘアダプタが、前記制御コマンドを受信すると、ＡＲＣによる音声データの出力を開始する。
【０１８０】
こうして、例えば、次の動作が行われてもよい。ただし、次の説明は、単なる一例である。
【０１８１】
つまり、出力機器（ＨＤＭＩ出力機器、ＨＤＭＩソース、ＢＤシステム２０）および入力機器（ＨＤＭＩ入力機器、ＨＤＭＩシンク、テレビ１０）において、出力機器が、映像および音声の信号を、ＨＤＭＩで出力し、入力機器が、出力された信号を、ＨＤＭＩで入力してもよい。つまり、映像および音声を、出力機器から入力機器に伝送する通信がされてもよい。
【０１８２】
なお、ここで、伝送される映像は、例えば、ＨＤ（High Definition）の映像（動画）であり、大きなデータ量の映像である。
【０１８３】
そして、伝送される音声は、例えば、出力機器（ＢＤシステム２０）が有する記憶ディスク（ＢＤ）に記憶され、入力機器（テレビ１０）により出力される音声でもよい。
【０１８４】
一方、近年においては、ＨＤＭＩの信号などを無線通信する、ＷｉｒｅｌｅｓｓＨＤ（ＷｉＨＤ）などの無線通信が利用されつつある（非特許文献１等を参照）。
【０１８５】
そこで、無線送受信システム３０ｘＡ（無線送受信システム３０ｘ、５０ｘ）においては、送信側無線通信部（ＷｉＨＤレシーバ３０５）および受信側無線通信部（ＷｉＨＤトランスミッタ４０５）（無線通信部３０５ｘ（図２、図３））が、無線通信を行い、出力機器および入力機器に、ＨＤＭＩでの通信を、当該無線通信を介して行わせてもよい。
【０１８６】
つまり、例えば、送信側無線通信部が、出力機器により出力される、ＨＤＭＩの信号を、無線通信で送信してもよい。そして、受信側無線通信部が、送信された信号を受信し、受信された信号を入力機器に入力させてもよい。
【０１８７】
これにより、入力機器（テレビ１０）と、出力機器との間で、長いＨＤＭＩケーブルを設ける必要がなく、入力機器と出力機器との、ＨＤＭＩの通信が簡単にできたり、ユーザから見た美感が向上できたりする。
【０１８８】
一方、出力機器および入力機器は、逆方向、つまり、入力機器（テレビ１０）から出力機器（ＢＤシステム２０）への方向での、ＳＰＤＩＦ等の音声信号（図２の音声信号３０２Ｓを参照）の通信も行う。
【０１８９】
なお、具体的には、例えば、このような、入力機器から出力機器への音声信号は、入力機器（テレビ１０）に設けられたチューナーにより受信された音声の音声信号でもよい。
【０１９０】
つまり、入力機器（テレビ１０）により、ＨＤＭＩの方式とは別の、他の方式（ＳＰＤＩＦ等）での音声信号３０２Ｓが出力されて、出力機器（ＢＤシステム２０）により、出力された、ＳＰＤＩＦ等における音声信号３０２Ｓが入力される。
【０１９１】
そこで、無線通信部３０５ｘ（図２、図３）が、入力機器により出力された、ＳＰＤＩＦ等での音声信号３０２Ｓを（ＬＲＰのＷｉＨＤ音声バックチャネルで）無線通信し、入力機器および出力機器に、この音声信号３０２Ｓの通信を、当該無線通信を介して行わせてもよい。
【０１９２】
つまり、送信側無線通信部（ＷｉＨＤレシーバ３０５）が、入力機器により出力された、ＳＰＤＩＦ等での音声信号３０２Ｓを、無線通信で送信し、受信側無線通信部（ＷｉＨＤトランスミッタ４０５）が、送信された、ＳＰＤＩＦ等の音声信号３０２Ｓを受信し、受信された音声信号３０２Ｓを、出力機器に入力させてもよい。
【０１９３】
これにより、ＳＰＤＩＦ等の、他の方式の通信における通信ケーブルも不要になり、十分かつ確実に、美感が向上できる。
【０１９４】
一方、近年においては、ＨＤＭＩでの通信により、入力機器（テレビ１０）から出力機器（ＢＤシステム２０）への、音声の通信を行う、オーディオリターンチャンネル（ＡＲＣ）での、音声の通信の技術が使われつつある。このＡＲＣは、ＨＤＭＩ１．４（非特許文献２）から導入された最新の技術である。市販される機器（テレビ、ＢＤレコーダ等）のうちの最新のものにおいては、このＡＲＣの機能が実装されるようになりつつある。
【０１９５】
そして、入力機器として、ＡＲＣに対応していない、ＡＲＣの通信を行わない入力機器１０ａ（図１）が用いられる場合がある一方で、ＡＲＣに対応した、ＡＲＣでの通信を行う入力機器１０ｂ（図１）が用いられる場合もある。ここで、例えば、ＡＲＣに対応しない入力機器１０ｂは、ＨＤＭＩ１．４に対応していない、旧式の機器であり、ＡＲＣに対応した入力機器１０ｂは、ＨＤＭＩ１．４に対応した、最新の機器でもよい。
【０１９６】
また、出力機器についても、ＡＲＣに対応していない出力機器１０ａが用いられる場合もあるし、ＡＲＣに対応した出力機器１０ｂが用いられる場合もある。
【０１９７】
そして、無線通信においては、例えば、先述のように、２つの音声を同時に伝送することができない。つまり、ＷｉＨＤのＬＲＰにおける、ＷｉＨＤ音声バックチャンネル機能での無線通信においては、第１の音声の信号を伝送するのと同時に、第１の音声とは別の第２の音声の信号を伝送することはできず、２つの音声を同時に伝送することができない。なお、例えば、２つの音声の同時の伝送ができないのは、無線通信（ＷｉＨＤ）における、帯域の制限のためである。
【０１９８】
そこで、本無線送受信システム（無線送受信システム３０ｘ）においては、前記無線送信機および前記無線受信機は、ＷｉｒｅｌｅｓｓＨＤの無線通信を行い、ＢＤシステム２０（出力機器）により、ＨＤＭＩで信号が出力され、出力された当該信号が、テレビ（入力機器）により入力されるのに際して、前記ＢＤシステムから前記テレビへの、当該信号の通信を、当該無線通信を介して行わせる、送信側のアダプタ、および、受信側のアダプタでもよい。
【０１９９】
そして、通信検出部３１１ｘ（第１の検出部（ＣＥＣコマンド認識部３１１）および第２の検出部（ＣＥＣコマンド認識部４１１））が、前記テレビにより、ＳＰＤＩＦ（Sony Philips Digital InterFace）での音声信号３０２ｓが出力され、前記ＢＤシステムにより、出力された、ＳＰＤＩＦにおける当該音声信号３０２ｓが入力されるのか（例えば、＜Ｒｅｐｏｒｔ  ＡＲＣ  Ｉｎｉｔｉａｔｅｄ＞が送信されていないか）、前記テレビにより、ＨＤＭＩにおけるＡＲＣでの、音声（信号３０１ａＳ）の出力がされて、出力された、ＡＲＣにおける当該音声が、前記ＢＤシステムに入力され、ＡＲＣでの通信がされるのか（＜Ｒｅｐｏｒｔ  ＡＲＣ  Ｉｎｉｔｉａｔｅｄ＞の送信がされたか）、何れであるかを検出してもよい（Ｓ３０１、Ｓ３０３ａを参照）。
【０２００】
なお、より具体的には、例えば、通信検出部３１１ｘが、入力機器（テレビ１０）が、当該入力機器１０ｂが有するＡＲＣ機能をアクティベートし、かつ、出力機器（ＢＤシステム２０）が、当該出力機器（出力機器２０ｂ）のＡＲＣ機能をアクティベートしたか否かを検知し、何れのＡＲＣの機能もアクティベートされたと検知された場合に、ＡＲＣの通信がされることを検出してもよい。
【０２０１】
つまり、さらに具体的には、例えば、通信検出部３１１ｘ（ＣＥＣコマンド認識部３１１、４１１）が、ＡＲＣの機能がアクティベートされたことを示すＣＥＣコマンド３１１ｃＡ（＜Ｒｅｐｏｒｔ  ＡＲＣ  Ｉｎｉｔｉａｔｅｄ＞）が送信されたか否かを検知し、送信されたと検知された場合に、ＡＲＣの通信がされることを検出してもよい（Ｓ３０１およびＳ３０３ａ、Ｓ４０１およびＳ４０３ａ）。
【０２０２】
なお、例えば、実施の形態２で示されるように、通信検出部３１１ｘ（音声信号検出部５０７、制御部６０４）が、入力機器から出力機器に通信されるデータが、ＡＲＣでのデータか否かを検知することにより、ＡＲＣでのデータと検知された場合に、ＡＲＣでの通信がされることを検出してもよい（Ｓ５０１、Ｓ６０１）。
【０２０３】
そして、通信切換部３０３ｘ（受信側切換部（入力信号切換部３０３）、送信側切換部（出力信号切換部４０３））が、ＡＲＣでの通信がされないことが検出された場合には、ＳＰＤＩＦでの前記音声信号３０２Ｓを、前記無線通信（ＷｉＨＤ音声バックチャネルの通信）を介して通信させ、ＡＲＣでの前記音声（信号３０１ａＳ）を、前記無線通信を介して通信させず（Ｓ３１５）、ＡＲＣでの通信がされることが検出された場合には、ＳＰＤＩＦでの前記音声信号３０２Ｓを、前記無線通信を介して通信させず、ＡＲＣでの前記音声（信号３０１ａＳ）を、前記無線通信（ＷｉＨＤ音声バックチャネルの通信）を介して通信させてもよい（Ｓ３０５）。
【０２０４】
なお、より具体的には、例えば、通信検出部３１１ｘは、前記無線受信機に設けられた第１の前記検出部（ＣＥＣコマンド認識部３１１）と、前記無線送信機に設けられた第２の検出部（ＣＥＣコマンド認識部４１１）とを含んでもよい。
【０２０５】
そして、通信切換部３０３ｘは、前記無線受信機に設けられた受信側切換部（入力信号切換部３０３）と、前記無線送信機に設けられた送信側切換部（出力信号切換部４０３）とを含んでもよい。
【０２０６】
つまり、例えば、ＷｉＨＤ−Ｒｘアダプタ３０に設けられた第１の検出部（ＣＥＣコマンド認識部３１１）が、ＡＲＣの通信がされるか否かを検出するのと共に、ＷｉＨＤ−Ｔｘアダプタ４０に設けられた第２の検出部（ＣＥＣコマンド認識部４１１）も、ＡＲＣの通信がされるか否かの検出をしてもよい。
【０２０７】
そして、入力信号切換部３０３は、第１の検出部（ＣＥＣコマンド認識部３１１）により、ＡＲＣの通信がされることが検出されない場合にのみ、入力機器により（外部音声入力端子３０２へと）出力される、ＳＰＤＩＦ等の音声信号３０２Ｓを、無線通信で送信させ、第１の検出部により、ＡＲＣの通信がされることが検出された場合には、ＨＤＭＩ出力端子３０１（の入力部３０１ａ）へと出力される、ＡＲＣの信号３０１ａＳを、無線通信で送信させてもよい。
【０２０８】
なお、同様に、出力信号切換部４０３は、第２の検出部（ＣＥＣコマンド認識部４１１）により、ＡＲＣの通信がされることが検出されない場合にのみ、無線通信で受信される信号を、ＳＰＤＩＦ等の音声信号３０２Ｓとして、外部音声出力端子４０２（図３）から出力機器（ＢＤシステム２０）に入力させ、検出された場合には、ＡＲＣの信号３０１ａＳとして、ＨＤＭＩ入力端子４０１（の出力部４０１ａ）から出力機器に入力させてもよい。
【０２０９】
なお、図２の入力部３０１ａは、ＡＲＣの信号３０１ａＳを入力する入力部である。具体的には、先述のように、例えば、入力部３０１ａは、ＨＤＭＩ出力端子３０１におけるＵｔｉｌｉｔｙライン（または、ＵｔｉｌｉｔｙラインおよびＨＰＤラインの両方）でもよい。同様に、図３の出力部４０１ａは、ＡＲＣの信号３０１ａＳの出力部である。
【０２１０】
より具体的には、例えば、実施の形態１で示されるように、＜Ｒｅｐｏｒｔ  ＡＲＣ  Ｉｎｉｔｉａｔｅｄ＞のＣＥＣコマンドの送信と、＜Ｔｅｒｍｉｎａｔｅ  ＡＲＣ＞のＣＥＣコマンドの送信とがそれぞれ検出されてもよい。そして、＜Ｒｅｐｏｒｔ  ＡＲＣ  Ｉｎｉｔｉａｔｅｄ＞の検出から（Ｓ３０５、Ｓ４０５）、＜Ｔｅｒｍｉｎａｔｅ  ＡＲＣ＞の検出まで（Ｓ３１５、Ｓ４１５）の期間において、ＡＲＣの信号３０１ａが、無線通信を介して通信され、他の期間でのみ、ＳＰＤＩＦ等での音声信号３０２Ｓが、無線通信を介して、通信されてもよい。
【０２１１】
こうして、本無線受信機（ＷｉＨＤ−Ｒｘアダプタ３０等）において、ＣＥＣコマンド認識部３１１、入力信号切換部３０３などの複数の構成が組み合わせられ、組み合わせによる相乗効果が生じる。これに対して、従来例においては、これらの構成のうちの全部又は一部を欠き、相乗効果は生じない。この点において、本無線受信器は、従来例に対して、相違する。
【０２１２】
同様に、本無線送信機も、構成、作用、効果の点において、従来例に対して相違する。
【０２１３】
なお、ＨＤＭＩの信号を出力するＢＤシステム２０が、ＨＤＭＩ１．４に対応したＢＤシステム（出力機器２０ｂ）で、かつ、ＨＤＭＩの信号を入力する前記テレビも、ＨＤＭＩ１．４に対応したテレビ（入力機器１０ｂ）である場合に、ＡＲＣでの通信がされることが検出されてもよい。
【０２１４】
なお、先述された、無線通信において、２つの音声を同時に伝送することができないとは、具体的には、例えば、閾値より高い品質での伝送ができないことでもよいし、品質に関わらず、如何なる品質でも伝送できないことでもよい。
【０２１５】
なお、上述されたそれぞれの機能を実現するためのコンピュータプログラムが構築されてもよいし、そのコンピュータプログラムが記憶された記憶媒体が構築されてもよいし、それぞれの機能が実装された集積回路が構築されてもよいし、他の種類の物が構築されてもよい。また、上述のそれぞれの工程が含まれる方法が構築されてもよい。
【０２１６】
また、単なる細部については、上述の説明の通りの形態が採られてもよいし、他の形態が採られてもよい。他の形態は、上述の説明から、当業者が容易に思い付く形態でもよいし、思い付くことが困難である、更に改良発明が適用された形態などでもよい。
【０２１７】
また、異なる複数の実施形態に記載された複数の要素などの、互いに異なる複数の箇所に記載された複数の要素は、適宜組み合わせられてよい。如何なる組み合わせをしたケースも、本発明が適用されている限り、本発明の範囲に属する。
【産業上の利用可能性】
【０２１８】
ＷｉＨＤ−Ｒｘアダプタ及びＷｉＨＤ−Ｔｘアダプタを使って、ＷｉＨＤ−ＲｘアダプタからＷｉＨＤ−Ｔｘアダプタに、音声を、ＷｉＨＤ音声バックチャネル伝送するシステムにおいて、ＡＲＣと外部音声入力の２種類の音声入力がある場合に、接続機器において、ＡＲＣが有効になると、ＡＲＣによって入力された音声データを伝送し、ＡＲＣが無効になると、外部音声入力から入力された音声データを伝送するシステムが実現できる。
【０２１９】
また、外部音声入力から入力した音声データを、音声バックチャネル伝送している状態において、接続された機器が、ＡＲＣの使用を開始すると、即座にＷｉＨＤにおいても、ＡＲＣによって入力された音声データの伝送に切り換えることができる。
【０２２０】
これにより、ＷｉＨＤ−Ｒｘアダプタ及び、ＷｉＨＤ−Ｔｘアダプタに接続された機器は、ＡＲＣと外部音声入力と、いずれの音声を伝送するかを明示的に指定することなく、音声データを伝送させることができる。
【符号の説明】
【０２２１】
１０  テレビ
２０  ＢＤシステム
３０、５０  ＷｉＨＤ−Ｒｘアダプタ
３１、４１  ＨＤＭＩケーブル
４０、６０  ＷｉＨＤ−Ｔｘアダプタ
１００、１０１  ＡＶシステム
３０１  ＨＤＭＩ出力端子
３０２  外部音声入力端子
３０３  入力信号切換部
３０４、４０４、５０４、６０４  制御部
３０５  ＷｉＨＤレシーバ
３０６  ＨＤＭＩトランスミッタ
３１１、４１１  ＣＥＣコマンド認識部
３１２、４１２  記憶部
３２１、４２１  符号化部
３２２、４２２  ＷｉＨＤ制御部
３２３、４２３  アンテナ部
３２４、４２４  復号化部
４０１  ＨＤＭＩ入力端子
４０２  外部音声出力端子
４０３  出力信号切換部
４０５  ＷｉＨＤトランスミッタ
４０６  ＨＤＭＩレシーバ
４０７  Ｅ−ＥＤＩＤ記憶部
５０７  音声信号検出部
【図１】
2011234046.tif 000003
【図２】
2011234046.tif 000004
【図３】
2011234046.tif 000005
【図４ａ】
2011234046.tif 000006
【図４ｂ】
2011234046.tif 000007
【図５ａ】
2011234046.tif 000008
【図５ｂ】
2011234046.tif 000009
【図６】
2011234046.tif 000010
【図７】
2011234046.tif 000011
【図８】
2011234046.tif 000012
【図９ａ】
2011234046.tif 000013
【図９ｂ】
2011234046.tif 000014
【図９ｃ】
2011234046.tif 000015
【図１０ａ】
2011234046.tif 000016
【図１０ｂ】
2011234046.tif 000017
【図１０ｃ】
2011234046.tif 000018